(57)【要約】【課題】打たれて振動することにより音が鳴る音源を備える時計において、各ばねのばね力を容易に設定でき、かつ良好な音を発生させることができる時計および携帯機器を提供すること。【解決手段】本発明の時計１は、ハンマー４０と、ハンマー４０を駆動するハンマー駆動装置とを有するムーブメント１Ａと、打たれて振動することにより音が鳴る音源としてのおりん２０と、を備え、内側ケース１０には、ハンマー４０と音源としてのおりん２０との間で往復変位可能とされ、ハンマー４０による打撃力を音源としてのおりん２０に伝える打撃力伝達部材としてのハンマーピンユニット５０が設けられている。【選択図】図１
2010019823.tif 000002
【特許請求の範囲】
【請求項１】
ハンマー、および前記ハンマーを駆動するハンマー駆動装置を有する本体と、
前記本体を収容するケースと、
前記ハンマーで打たれて振動することにより音を発する音源と、
を具備した時計であって、
前記ハンマーと前記音源との間で往復変位可能とされ、前記ハンマーによる打撃力を前記音源に伝える打撃力伝達部材を備えている
ことを特徴とする時計。
【請求項２】
前記音源は、前記ケースの外側に設けられ、
前記ケースは、気密状態で前記本体を収容するとともに、内部の気密が確保された状態で、前記打撃力伝達部材を前記ハンマーおよび前記音源の間で往復変位可能に保持する保持部が設けられる
ことを特徴とする請求項１に記載の時計。
【請求項３】
前記打撃力伝達部材は、前記ハンマーと前記音源との間で往復変位可能なピンと、前記ピンを保持する保持部および前記ピンの間を塞ぐ閉塞部材と、前記ピンを前記ハンマー側に付勢する付勢部材とを有する
ことを特徴とする請求項１又は請求項２に記載の時計。
【請求項４】
前記打撃力伝達部材は、前記ピンが前記音源側に移動した際に、前記ピンの一部に当接して前記ピンの移動を規制するストッパを備えている
ことを特徴とする請求項３に記載の時計。
【請求項５】
前記閉塞部材は、環状体もしくは筒状体とされた弾性部材であり、
前記弾性部材における前記環状体の場合の内周縁部もしくは前記筒状体の場合の軸方向一端部は、前記ピンの外周部に固定され、
前記弾性部材における前記環状体の場合の外周縁部もしくは前記筒状体の場合の軸方向他端部は、前記保持部に固定される
ことを特徴とする請求項３又は請求項４に記載の時計。
【請求項６】
前記打撃力伝達部材は、前記ピンとして、長さ方向に連結される第１ピンおよび第２ピンを備え、
前記弾性部材における前記環状体の場合の内周縁部もしくは前記筒状体の場合の軸方向一端部は、前記第１ピンと前記第２ピンとの間に挟持される
ことを特徴とする請求項５に記載の時計。
【請求項７】
前記打撃力伝達部材は、前記ハンマーと前記音源との間で往復変位可能なピンと、前記ピンを保持する保持部および前記ピンの間を塞ぐ閉塞部材と、を有し、
前記閉塞部材は、環状体もしくは筒状体とされた弾性部材であり、
前記ピンは、前記弾性部材により前記ハンマー側に向かって付勢されている
ことを特徴とする請求項１又は請求項２に記載の時計。
【請求項８】
前記ケースの外側には、前記音源の少なくとも一部を覆う外側ケースが設けられ、
前記外側ケースには、空気の出入りが自在な開口部が形成されている
ことを特徴とする請求項１乃至請求項７のいずれか一項に記載の時計。
【請求項９】
前記ケースの外側には、前記音源の少なくとも一部を覆う外側ケースが設けられ、
これら前記ケースおよび前記外側ケースの間には、前記音源にて発生した音を反響させる反響室が設けられている
ことを特徴とする請求項１乃至請求項７のいずれか一項に記載の時計。
【請求項１０】
前記外側ケースの外部と前記反響室の内部とを連通する隙間が設けられている
ことを特徴とする請求項９に記載の時計。
【請求項１１】
前記隙間を開閉する隙間開閉手段が設けられている
ことを特徴とする請求項１０に記載の時計。
【請求項１２】
前記反響室は、前記ケースおよび前記外側ケースにより形成されるとともに、前記外側ケースには、外部と連通する連通孔が形成され、
前記連通孔に嵌挿されるとともに、略筒状に形成され、筒外周面に、前記外側ケースの外部と筒内部とを連通する孔部が設けられる隙間形成部材を備え、
前記隙間は、前記隙間形成部材の前記孔部および前記隙間形成部材の筒周部により形成され、
前記隙間開閉手段は、前記隙間形成部材の前記孔部を閉塞可能な閉塞面を有し、前記隙間形成部材の軸方向に沿って進退自在に設けられるとともに、前記閉塞面により前記孔部を閉塞する閉塞状態、および前記孔部を開口する開口状態に移動して、前記隙間を開閉する
ことを特徴とする請求項１１に記載の時計。
【請求項１３】
前記ケースは、前記本体の周りに設けられる筒状の胴部と、前記胴部の軸線方向両側にそれぞれ設けられる風防ガラスおよび蓋部とを有し、
前記音源は、前記ケースの蓋部に対向する底部と、前記ケースの胴部に対向する側壁部とを有する椀形状とされている
ことを特徴とする請求項１乃至請求項１２のいずれか一項に記載の時計。
【請求項１４】
前記ケースは、前記本体の周りに設けられる筒状の胴部と、前記胴部の軸線方向両側にそれぞれ設けられる風防ガラスおよび蓋部とを有し、
前記音源は、前記胴部の外周部に沿った棒状に形成されている
ことを特徴とする請求項１乃至請求項１２のいずれか一項に記載の時計。
【請求項１５】
前記音源は、複数設けられ、
これらの複数の前記音源に対応して、複数の前記打撃力伝達部材が設けられている
ことを特徴とする請求項１４に記載の時計。
【請求項１６】
前記ケースの少なくとも一部は、非磁性体である
ことを特徴とする請求項１乃至請求項１５のいずれか一項に記載の時計。
【請求項１７】
前記音源は、前記ケースに固定されている
ことを特徴とする請求項１乃至請求項１６のいずれか一項に記載の時計。
【請求項１８】
前記ケースは、前記本体の周りに設けられる筒状の胴部と、前記胴部の軸線方向両側にそれぞれ設けられる風防ガラスおよび蓋部とを有し、
前記音源は、前記ケースの蓋部に対向する底部と、前記ケースの胴部に対向する側壁部とを有する椀形状とされ、
前記音源の底部の一部は、固定部材によって前記ケースの蓋部に固定され、
前記固定部材は、前記底部および前記蓋部に固定される固定部材本体と、前記底部の前記蓋部側とは反対側に設けられ前記底部との間に隙間をあけて配置される部分および前記底部を支持する支持部分を含む弾性部材とを有する
ことを特徴とする請求項１７に記載の時計。
【請求項１９】
ハンマー、および前記ハンマーを駆動するハンマー駆動装置を有する本体と、
前記本体を収容するケースと、
打たれて振動することにより音を発する音源と、を備え、
前記ケースには、前記ハンマーと前記音源との間で往復変位可能とされ、前記ハンマーによる打撃力を前記音源に伝える打撃力伝達部材が設けられている
ことを特徴とする携帯機器。
【発明の詳細な説明】
【技術分野】
【０００１】
本発明は、ゴングやお椀型音源などの音源を備える時計や携帯機器に関する。
【背景技術】
【０００２】
従来、Ｃ字状のゴングと、ゴングを打つハンマーとを備えた鳴物時計が知られている（例えば、非特許文献１）。ここで、ゴングは、ムーブメント外周部に沿って配置され、地板に固定されている。また、ハンマーは、地板におけるゴングの内側の部分に回動可能に設けられており、ゼンマイの駆動力により所定のタイミングで駆動される。なお、地板にはゴングを叩いたハンマーを引き戻すばねが設けられている。
【０００３】
【非特許文献１】「最新腕時計フルスペック図鑑2002」株式会社学習研究社、2002年3月1日、117頁
【発明の開示】
【発明が解決しようとする課題】
【０００４】
ところで、上述したような従来の鳴物時計では、ハンマーにより直接ゴングを打つ構成であり、ハンマーには、ゴングを打つために、ハンマーをゴング側に付勢するばねと、ゴングに当接した後、ゴングから元の位置にハンマーを引き戻すためのばねとが設けられている。しかしながら、ハンマーにこのような２つの異なる方向に付勢するばねを設ける構成では、ハンマーをゴング側に付勢するばねのばね力が強いと、ハンマーでゴングを打った際に、ゴングからハンマーが離れず、ゴングの振動を阻害してしまう。逆に、ハンマーをゴングから引き戻すばねのばね力が強いと、ゴングを打つ力が弱くなり、良好な音を鳴らすことができないという問題がある。したがって、これらのばね力の力を適切に設定する必要があるが、互いに反対方向に付勢するばねをハンマーに直接取り付けると、各ばねをそれぞれ適切なばね力に設定することは困難であるという問題がある。
【０００５】
本発明の目的は、打たれて振動することにより音を発する音源を備える時計において、各ばねのばね力を容易に設定でき、かつ良好な音を発生させることができる時計および携帯機器を提供することにある。
【課題を解決するための手段】
【０００６】
本発明の時計は、ハンマー、および前記ハンマーを駆動するハンマー駆動装置を有する本体と、前記本体を収容するケースと、前記ハンマーで打たれて振動することにより音を発する音源と、を具備した時計であって、前記ハンマーと前記音源との間で往復変位可能とされ、前記ハンマーによる打撃力を前記音源に伝える打撃力伝達部材を備えたことを特徴とする。
【０００７】
なお、本発明の音源は、御鈴、鈴、梵鐘、和時計の鐘、目覚まし時計の鐘、ゴング、太鼓のように、打撃による振動により音を発するものをいう。
この発明によれば、ハンマーからの打撃力が打撃力伝達部材に伝達され、この打撃力伝達部材が音源を打つことで音源から音が発生する。このように打撃力伝達部材を介在させることで、ハンマー側に音源側に向かって付勢されるばねを設け、打撃力伝達部材にハンマー側に向かって付勢されるばねを設けることができる。すなわち、従来、直接ハンマーに設けていた互いに異なる方向に付勢しあうばねを、ハンマーおよび打撃力伝達部材に分離させることができる。したがって、ハンマーおよび打撃力伝達部材に作用するばねのばね力をそれぞれ容易に適切に設定することができ、製造作業性も向上させることができる。
また、各ばねのばね力を適切に設定できるため、打撃力伝達部材が音源に当たった際に打撃力伝達部材にハンマーの付勢力が作用していないように設定できる。このため、打撃力伝達部材は、音源に当接したままとならず、音源を打った瞬間にハンマー側に跳ね返る。すなわち、本発明の時計では、音源の振動が打撃力伝達部材により阻害されず、良好な音を発生させることができる。したがって、音源から、初期音圧が大きく、時間の経過による音圧の減退が少なくて余韻が長く持続する良好な音を鳴らすことができる。
【０００８】
そして、本発明の時計では、前記音源は、前記ケースの外側に設けられ、前記ケースは、気密状態で前記本体を収容するとともに、内部の気密が確保された状態で、前記打撃力伝達部材を前記ハンマーおよび前記音源の間で往復変位可能に保持する保持部が設けられることが好ましい。
【０００９】
すなわち、ハンマーにより打たれて音を発生する音源が内蔵される時計では、ハンマーが音源を打つ際の打撃音をケースの外側に響かせるため、胴と裏蓋との接合部などに隙間が開いており、防水機能が十分でない場合が一般的である。また、胴と裏蓋の間にパッキンを設けるなどして防水性を確保した場合、パッキンによりケース内が気密とされる場合、ケース内の空気が振動しにくく、音が小さくなってしまう。
これに対して、この発明によれば、音源は、気密状態とされたケースの外側に設けられている。これにより、本体の防水性と音源本来の音とを両立できる。本発明では、打撃力伝達部材を介してハンマーの打撃力がケース外の音源に伝達されるので、音源周囲の空気振動により、音源本来の音を響かせることができる。
【００１０】
また、ハンマーがケース内（気密室内）に配置されることで、ハンマーに係る防水構造を設けることを不要にできる。もし、ハンマーの回動軸（ハンマーが回動する場合）にパッキン等を設けるとすれば、ハンマー作動時の摺動抵抗が大きくなるが、本発明では音源のみがケース外に配置されておりハンマーはケース内に配置されているので、ハンマー作動時の摺動抵抗を小さくできる。これにより、ハンマー回動軸部の磨耗を低減できるとともに、音源の打撃に要するエネルギ消費を小さくできる。つまり、ハンマー駆動装置の駆動源がゼンマイの場合にはゼンマイ持続時間を長くできる。
【００１１】
ここで、本発明におけるケースは、風防ガラスおよび裏蓋を含む。胴および裏蓋が一体のワンピース構造の場合、このワンピース胴および風防ガラスによってケースが構成される。このほか、風防ガラスの周縁部を保持するガラス縁が設けられている場合には、このガラス縁もケースに含まれる。要するに、胴、風防ガラス、および裏蓋など、気密室を形成する部材によってケースが構成される。
【００１２】
本発明の時計では、前記打撃力伝達部材は、前記ハンマーと前記音源との間で往復変位可能なピンと、前記ピンを保持する保持部および前記ピンの間を塞ぐ閉塞部材と、前記ピンを前記ハンマー側に付勢する付勢部材とを有することが好ましい。
【００１３】
ケースを貫通し往復変位可能な構成としては、例えば巻真やクロノグラフのボタンなどの既存技術があり、これら巻真やボタンの軸周りには、ケース内の防水性を確保するためにパッキン等が設けられる。すなわち、本発明のように打撃力伝達部材をピンを含んで構成すれば、既存の時計技術の転用によって打撃力伝達部材を容易に製作できる。つまり、新たな部品構造が不要で、コストが掛からない。
なお、ピンは、ハンマーによる打撃力を音源に伝達した後、付勢部材によって元の位置に戻る。このピンの付勢部材は、ピンに設けられたコイルばねや、本体の地板側に設けられたばねなどであってよい。
【００１４】
本発明の時計では、前記打撃力伝達部材は、前記ピンが前記音源側に移動した際に、前記ピンの一部に当接して前記ピンの移動を規制するストッパを備えることが好ましい。
【００１５】
この発明によれば、打撃力伝達部材は、ピンが音源側に過剰に移動するのを規制するストッパを備えている。これにより、例えばケースの外部の気圧が急激に減圧し、ケース内の圧力が外側に比べて高くなった場合でも、ストッパによりピンの移動を規制できるため、内圧によりピンが外部に押し出されて抜け落ちる不都合を防止することができる。
【００１６】
本発明の時計では、前記閉塞部材は、環状体もしくは筒状体とされた弾性部材であり、前記弾性部材における前記環状体の場合の内周縁部もしくは前記筒状体の場合の軸方向一端部は、前記ピンの外周部に固定され、前記弾性部材における前記環状体の場合の外周縁部もしくは前記筒状体の場合の軸方向他端部は、前記保持部に固定されることが好ましい。
【００１７】
ここで、ピンの外周部と保持部との間にリング状の弾性部材（パッキン、Ｏリング）が介装される構成では、弾性部材表面と保持部との間に摩擦抵抗があり、ピン移動時の摺動抵抗が大きいものとなる。これに対して、本発明では、弾性部材がピンと保持部とに固定されており、弾性部材が変形することによってピンが移動するため、ピンと保持部との間に摺動抵抗が無い。このような本発明によれば、Ｏリングを用いる場合と比べて、ピンを介して音源に伝達される打撃力を大きくできるとともに、音源の打撃に要するエネルギ消費を小さくできる。これにより、ハンマー駆動装置の駆動源がゼンマイの場合にはゼンマイ持続時間を長くできる。
また、ピンと保持部との間にＯリングが介装される構成では、潤滑油切れを起こしてＯリングが傷つき、防水性が低下するおそれがあるが、本発明ではこのようなおそれが無い。
さらに、孔があいていない弾性部材がハンマーとピンとの間に介在する構成では弾性部材によるハンマーの機械エネルギの損失が避けられないのに対して、本発明ではそのような不都合が無い。
【００１８】
本発明の時計では、前記打撃力伝達部材は、前記ピンとして、長さ方向に連結される第１ピンおよび第２ピンを備え、前記弾性部材における前記環状体の場合の内周縁部もしくは前記筒状体の場合の軸方向一端部は、前記第１ピンと前記第２ピンとの間に挟持されることが好ましい。
【００１９】
この発明によれば、ピンが二体に分割形成されているため、弾性部材を第１ピンと第２ピンとの間に挟んでピン外周部に固定することが容易となる。
また、ピンが二体とされることで各ピンの材質選択の自由度が向上する。例えば、音源に当接する第２ピンの材質は、音源の材質等に応じて、音質が向上するように選択することが可能となる。
【００２０】
本発明の時計では、前記打撃力伝達部材は、前記ハンマーと前記音源との間で往復変位可能なピンと、前記ピンを保持する保持部および前記ピンの間を塞ぐ閉塞部材と、を有し、前記閉塞部材は、環状体もしくは筒状体とされた弾性部材であり、前記ピンは、前記弾性部材により前記ハンマー側に向かって付勢されていることが好ましい。
【００２１】
この発明によれば、弾性部材によってピンが付勢されることにより、打撃後にピンを戻すばね等の付勢部材を設けることが不要となる。すなわち、弾性部材が防水性確保と、ピンを戻す付勢部材とに兼用されるため、部品コストを低減できる。
【００２２】
本発明の時計は、前記ケースの外側には、前記音源の少なくとも一部を覆う外側ケースが設けられ、前記外側ケースには、空気の出入りが自在な開口部が形成されていることが好ましい。
【００２３】
この発明によれば、衣服の袖口などが時計の外周面に接触しても、外側ケースに覆われた音源には袖口などが接触しないので、音源の振動が減衰せず、音質や音量が変化しない。
そして、外側ケースには開口部が形成されているため、外側ケースの内側と外側とは空気の出入りが自在であり、音源が発する音が直接外側ケースの外部に伝わる。これにより、外側ケースが設けられていない場合と同様に、空気振動を利用した音源本来の音を響かせることができる。
なお、外側ケースは、気密状態に設けられるケース（以下、内側ケースと言うこともある）を構成する胴やガラス縁などに固定される。
【００２４】
ここで、外側ケースに形成される開口部の形状や数、位置などは任意であり、例えば、開口部は、内側ケースの側面に対向する位置に形成された貫通孔であってよい。本発明では内側ケースにより本体の防水性が確保されているので、大きな開口部を形成することが可能となる。このような開口部を修飾的な形状とすることにより、外観意匠性を向上させることが可能である。
また、外側ケース自体の構成も任意であり、例えば金属線を結束して形成された鳥カゴ状に外側ケースを形成してもよい。この場合、金属線で囲まれた空間が開口部となり、外側ケース全体で大きな開口が形成される。なお、開口部は網状部材や多孔質部材により形成されていてもよい。
本発明では、外側ケースと内側ケースとの間の空間は広い方が良いが、外側ケースの開口部を介して空気の出入りが自在であるため、音源と外側ケースの内面とをさほど離す必要は無い。つまり、外側ケースが設けられていても、時計が大径化しない。
【００２５】
本発明の時計では、前記ケースの外側には、前記音源の少なくとも一部を覆う外側ケースが設けられ、これら前記ケースおよび前記外側ケースの間には、前記音源にて発生した音を反響させる反響室が設けられることが好ましい。
【００２６】
ここで、ケース（内側ケース）と、外側ケースとの間に設けられる空間を反響室として利用してもよく、別途、音源を囲う状態に反響室を設ける構成としてもよい。このような反響室を設けることにより、音源にて発生した音を反響させることができる。このように、音を反響させることで、反響による共鳴効果が発生し、音源にて発生した音圧をより大きくすることができる。反響室を設けることにより、発生した音が時計外部に拡散しにくく、余韻を長くすることができる。
【００２７】
また、本発明の時計では、前記外側ケースの外部と前記反響室の内部とを連通する隙間が設けられることが好ましい。
この発明によれば、上記反響室には、隙間が設けられている。すなわち、完全に反響室を密封状態とする場合では、発生した音が反響室の壁により阻まれるため、時計外部へ音が漏れず、音の振動も抑えられる。このため、時計外部では、音圧が小さい篭った音となり、音圧の減衰率も大きくなる。
なお、隙間は、反響室による共鳴効果を阻害しない開口面積に設定すればよい。例えば、隙間の面積が所定面積よりも小さい場合、反響室からの外部への音の出力が十分でなく、密封状態と略同一状態となるため、音圧が小さく、音圧減衰率も大きくなってしまう。一方、隙間の面積が所定面積よりも大きくなる場合、反響室によって音が共鳴されず、共鳴により音圧の増幅もない。また、隙間から音が容易に拡散されてしまうため、音圧の減衰率も大きくなる。これに対して、本発明のように、所定面積の隙間を設けることで、この隙間から反響による共鳴効果により、初期音圧および余韻開始時音圧が増幅された良好な音を外部に出力することができる。また、反響室により余韻減衰率も抑えられるため、余韻開始時から長時間音圧を維持することができる。
【００２８】
そして、本発明の時計では、前記隙間を開閉する隙間開閉手段が設けられることが好ましい。
この発明によれば、上述したような反響室に設けられる隙間を開閉可能な隙間開閉手段が設けられている。これにより、例えば雨天時など、時計の内部を防水したい場合など、時計の内部を気密にする必要がある場合や、音量を小さくしたい場合には、隙間開閉手段を操作して隙間を閉じることで、防水防塵効果を高めることができる。一方、良好な音を鳴らしたい場合には、隙間開閉手段を操作して反響室に隙間を開けることで、上述したような良好な音を発生させることができる。
【００２９】
ここで、本発明の時計では、前記反響室は、前記ケースおよび前記外側ケースにより形成されるとともに、前記外側ケースには、外部と連通する連通孔が形成され、前記連通孔に嵌挿されるとともに、略筒状に形成され、筒外周面に、前記外側ケースの外部と筒内部とを連通する孔部が設けられる隙間形成部材を備え、前記隙間は、前記隙間形成部材の前記孔部および前記隙間形成部材の筒周部により形成され、前記隙間開閉手段は、前記隙間形成部材の前記孔部を閉塞可能な閉塞面を有し、前記隙間形成部材の軸方向に沿って進退自在に設けられるとともに、前記閉塞面により前記孔部を閉塞する閉塞状態、および前記孔部を開口する開口状態に移動して、前記隙間を開閉することが好ましい。
【００３０】
この発明によれば、反響室と外側ケースの外部とを連通する連通孔に筒状の隙間形成部材が嵌挿され、この隙間形成部材の周部には、筒内部と外側ケースの外部とを連通する孔部が形成されている。そして、この孔部から隙間形成部材の筒内周部を通って反響室内部に至る連通部が隙間を形成している。そして、隙間開閉手段は、この隙間形成部材の軸方向に沿って進退し、閉塞面により孔部を開口状態および閉口状態に切り替えている。
ここで、連通孔および隙間形成部材の間、隙間形成部材および開閉部材の間は密閉状態が保たれているものであり、これにより、隙間開閉手段を進退させるだけの簡単な操作で、隙間を容易に開閉することができる。また、隙間開閉手段と、隙間形成部材との２部材により容易に隙間を開閉する機構を構成することができるため、構成が複雑化せず、簡単な構成で上述したような隙間の開閉の切り替えを実施可能な構成を得ることができる。
【００３１】
本発明の時計では、前記ケースは、前記本体の周りに設けられる筒状の胴部と、前記胴部の軸線方向両側にそれぞれ設けられる風防ガラスおよび蓋部とを有し、前記音源は、前記ケースの蓋部に対向する底部と、前記ケースの胴部に対向する側壁部とを有する椀形状とされていることが好ましい。
【００３２】
この発明によれば、お椀型音源の内部スペースにケースが設けられるので、時計の薄型化が阻害されない。このようにスペース効率が良いためお椀型音源を大きく設けることができ、その分、音の余韻を長くすることができる。
なお、ケースの胴部と蓋部とは一体に設けられていても良い。以下で述べる発明における胴部および蓋部についても、同様である。
【００３３】
本発明の時計では、前記ケースは、前記本体の周りに設けられる筒状の胴部と、前記胴部の軸線方向両側にそれぞれ設けられる風防ガラスおよび蓋部とを有し、前記音源は、前記胴部の外周部に沿った棒状に形成されていることが好ましい。
【００３４】
この発明では、外側ケースは内側ケースの胴部に対向する位置に設けられていればよく、蓋部側には設けられていなくてもよい。本発明によれば、内側ケースの胴部および外側ケースの胴部との二重胴構造により、前述と同様に防水性と音源本来の音とを両立できる。
なお、本発明では、内側ケースの蓋部にガラスを使用することにより、本体の機構を外部から視認可能なトランスパレント構造にできる。
【００３５】
本発明の時計では、前記音源は、複数設けられ、これらの複数の前記音源に対応して、複数の前記打撃力伝達部材が設けられることが好ましい。
【００３６】
この発明によれば、音源が複数設けられているため、これらの音源を同時に打つことで、より音圧を大きくすることができ、良好な音を鳴らすことができる。また、それぞれの音源の長さを変形させることで、異なる複数の音を鳴らすこともでき、それぞれの音源を打つタイミングを変化させることなどにより、例えば音楽性を持たせた音など、バリエーションに富んだ良好な音を鳴らすこともできる。
また、これらの複数の音源を単一の打撃力伝達部材で打つ構成としてもよいが、複数の音源に対してそれぞれ打撃力伝達部材を設けることが好ましい。すなわち、複数の音源を１つの打撃力伝達部材で打つ場合、打撃力が分散されるなどして、良好な音声が出力できない場合があるが、本発明では、各音源に十分な打撃力を伝達させることができ、各音源から良好な音を発生させることができる。
【００３７】
本発明の時計では、前記ケースの少なくとも一部は、非磁性体であることが好ましい。
【００３８】
この発明によれば、内側ケースの少なくとも一部、例えば内側ケースの胴部が磁性体とされることにより、耐磁板を別途設ける必要が無くなる。これにより、部品点数を削減できるので、低コスト化でき、そのうえ耐磁板寸法分、小型化が可能となる。
加えて、本発明では内側ケースの胴部などが磁性体とされるので、外側ケースを貴金属などで形成できる。すなわち、外観の美観を保ちながら耐磁性と小型化とを両立できる。
【００３９】
本発明では、前記音源は、前記ケースに固定されていることが好ましい。
【００４０】
この発明では、ハンマーを有する本体、および打撃力伝達部材が設けられる内側ケースに音源が固定されるため、打撃力伝達部材と音源との距離や、ハンマーの位置と打撃力との関係などを調整した後、外側ケースを組み付ければよい。つまり、外側ケースに音源が固定される場合には組立後の再調整が必要となるのに対して、本発明の構成は有利となる。
【００４１】
本発明の時計では、前記ケースは、前記本体の周りに設けられる筒状の胴部と、前記胴部の軸線方向両側にそれぞれ設けられる風防ガラスおよび蓋部とを有し、前記音源は、前記ケースの蓋部に対向する底部と、前記ケースの胴部に対向する側壁部とを有する椀形状とされ、前記音源の底部の一部は、固定部材によって前記ケースの蓋部に固定され、前記固定部材は、前記底部および前記蓋部に固定される固定部材本体と、前記底部の前記蓋部側とは反対側に設けられ前記底部との間に隙間をあけて配置される部分および前記底部を支持する支持部分を含む弾性部材とを有することを特徴とする。
【００４２】
この発明では、側壁部よりも音の余韻に影響を与えない底部に固定部材が設けられる。これにより、側壁部の振動が減衰しにくく、余韻のある音を響かせることが可能となる。また、お椀型音源の底部は弾性部材によって支持されているか、一部に隙間があいた状態で支持されるので、底部の振動が規制されにくくなる。これにより、お椀型音源全体の振動が減衰しにくくなり、音の余韻を長くできる。
【００４３】
本発明の携帯機器は、ハンマー、および前記ハンマーを駆動するハンマー駆動装置を有する本体と、前記本体を収容するケースと、打たれて振動することにより音を発する音源と、を備え、前記ケースには、前記ハンマーと前記音源との間で往復変位可能とされ、前記ハンマーによる打撃力を前記音源に伝える打撃力伝達部材が前記ケースの気密が確保された状態で設けられていることを特徴とする。
【００４４】
この発明によれば、前述の時計と同様の作用および効果を奏する。
ここで、携帯機器としては、例えば、玩具、オルゴール、簡易タイマー、電子制御式機械時計、アラーム・時打ち・引き打ち・からくり（オートマタ、オートマトン）等の少なくとも一つを搭載した時計、メカ式チャイム、機械式カメラ（タイマー撮影機構）、オートマタ、オートマトン、ラジオ、懐中電灯などが挙げられる。
【００４５】
以上の本発明によれば、各ばねのばね力を容易に設定でき、かつ良好な音を発生させることができる。
【発明を実施するための最良の形態】
【００４６】
以下、本発明の実施形態について図面を参照して説明する。なお、以降の説明において、既に説明した構成と同様の構成については、同一符号を付して説明を省略または簡略にする。
【００４７】
〔第１実施形態〕
本発明の第１実施形態について図１〜図５を参照して説明する。
〔１．全体構成〕
図１は、本発明の第１実施形態に係る時計１の縦断面図である。時計１は、本体としてのムーブメント１Ａと、ムーブメント１Ａを収容する内側ケース１０と、内側ケース１０の外側に設けられるお椀型の音源としてのおりん（御鈴）２０と、おりん２０を覆う外側ケース３０とを備えている。本実施形態の時計１は、ゼンマイの駆動力により指針を駆動するとともに、ゼンマイの駆動力により発電した電力を電子回路に供給して調速を行う電子制御式機械時計とされている。
【００４８】
ムーブメント１Ａは、図示を省略するが、ゼンマイと、ゼンマイの駆動力により時針１Ｂ、分針１Ｃ、秒針１Ｄを駆動する駆動輪列と、ゼンマイの駆動力により発電する発電機と、発電機から電力が供給される回路基板とを有している。なお、回路基板には水晶発振回路および分周回路などが実装されている。このムーブメント１Ａは、内側ケース１０内に風防ガラス１３側から挿入され、内側ケース１０に固定されている。
また、ムーブメント１Ａは、音源を打撃することによって音を鳴らすソヌリ機構４（ソヌリ機構、時打ち機構）（図２）を有している。
【００４９】
なお、図１における１Ｅ（二点鎖線）は、３時方向に設けられる巻真である。巻真１Ｅにはりゅうず１Ｆが取り付けられている。また、ムーブメント１Ａには、図示しないが、ソヌリ機構を起動させるか否かの切替操作が可能な押しボタンが設けられている。
【００５０】
〔２．ソヌリ機構の構成〕
図２は、ムーブメント１Ａに搭載されたソヌリ機構４を示す平面図である。ソヌリ機構４は、ソヌリ機構４を駆動するゼンマイが内蔵された香箱車４Ａと、香箱車４Ａの回転力を調速装置４Ｃに伝達する増速輪列である動力伝達輪列４Ｂと、ソヌリ機構４の作動速度を調速する調速装置４Ｃと、ハンマー４０と、ハンマー４０の打撃力をおりん２０に伝達する打撃力伝達部材としてのハンマーピンユニット５０（図１）と、時刻に応じた数だけハンマー４０を駆動するハンマー駆動装置としての打撃制御装置６０（図２）と、おりん２０（図１）とを有している。
【００５１】
なお、ソヌリ機構４の構成は、音源としてゴングではなくおりんを用いている以外は、従来から知られているものと同様なので、説明を省略あるいは簡略する。
従来のソヌリ機構の構成は、例えば、Francois Lecoultre著、「A guide to complicated watches」、159〜179頁に記載されている。
また、調速装置４Ｃは、本件出願人による特願２００６−１８９８１２の明細書および図面で説明されているため、説明を省略する。
【００５２】
香箱車４Ａは、時刻表示の時針１Ｂ、分針１Ｃ、秒針１Ｄを駆動するためのゼンマイの香箱車とは別に、ソヌリ機構専用に設けられており、ソヌリ機構の駆動源としての機械エネルギ蓄積手段を構成している。この香箱車４Ａに内蔵されたゼンマイは、巻真１Ｅが０段目の状態でりゅうず１Ｆを回すことによって巻き上げられる。
【００５３】
〔打撃制御装置の構成〕
打撃制御装置６０は、分針が設けられる筒かなＭと一体に設けられるスクリューナット６１と、数取り車６２と、リリースレバー６３と、アワー・リピーティング・ラック（以下、ＨＲＲという）６４と、センターホイール（以下、ＣＷという）６５（図３）とを備えている。
これらの構成は、本件出願人による前記出願（特願２００６−１８９８１２）の明細書および図面で説明されているため、詳しい説明を省略する。
【００５４】
なお、ソヌリ機構４の動作時ではない通常の状態では、香箱車４Ａの回転力（トルク）は動力伝達輪列４Ｂを介してＣＷ６５に伝達され、このＣＷ６５は図１において反時計回り方向に回転力を受けている。しかし、ＣＷ６５のギャザリングラックピニオン（以下、ＧＲＰという）６５７の無歯形部６５７Ａ（図３）とＨＲＲ６４の規制部６４６とが押し付けられているので、ＣＷ６５は回転せずに停止している。なお、図２は、香箱車４Ａが内蔵するゼンマイの巻き止めのためのコハゼを図示していない。
ＨＲＲ６４は、数取り車６２で表される現時刻を、おりん２０を打つ回数に相当するストロークに変換するとともに、ソヌリ機構４の停止時は香箱車４Ａの解け止めを行う。
【００５５】
〔ハンマーの構成〕
ハンマー４０は、回動軸部４１１を中心に回動自在なハンマー本体４１と、ハンマー本体４１をハンマーピンユニット５０に向かって付勢するハンマーばね４２と、ハンマー本体４１の回動軸部４１１に回動自在に設けられたハンマートリップ４３とを有している。
ハンマー本体４１は、黄銅等の銅合金製であり、回動軸部４１１の軸方向に沿って突出する突起４１２を有している。
ハンマーばね４２は、ハンマー本体４１の突起４１２をハンマーピンユニット５０に向かって付勢しており、これによってハンマー本体４１が図２における反時計回り方向に付勢されている。
【００５６】
ハンマートリップ４３は、突起４１２に当接する爪と、ＧＲＰ６５７に固定されているアワーラチェット６５９の三角歯６５９Ａや爪６５９Ｂに当接する爪と、ハンマートリップばね４３１に当接する爪とを有し、ハンマートリップばね４３１によって図２における時計回り方向に付勢されている。
ハンマートリップ４３は、ソヌリ機構４が動作していない際には、アワーラチェット６５９の爪６５９Ｂによって図２の状態に維持される。これにより、ハンマーばね４２とハンマートリップばね４３１とによって突起４１２が挟持された状態のハンマー本体４１の位置が決まり、ハンマー本体４１は、ハンマーピンユニット５０から離れた位置で静止している。このため、時計１を携帯中に拍手したり、腕を強く振るなどした場合でも、ソヌリ機構４が動作していない際におりん２０が鳴ることはない。
【００５７】
ソヌリ機構４を構成するおりん２０の構成およびハンマーピンユニット５０の構成については後述する。
【００５８】
〔３．お椀型音源およびケースの構成〕
図１に戻り、内側ケース１０、おりん２０、および外側ケース３０の構成について説明する。〔３−１．内側ケースの構成〕
内側ケース１０は、ムーブメント１Ａを収容する内胴１１と、内胴１１に設けられるガラス縁１２と、ガラス縁１２に樹脂製のパッキンＰＫ１が介装された状態で圧入される風防ガラス１３とを備えている。
ガラス縁１２と内胴１１との間には、パッキンＰＫ２（フッ素ゴム等のゴム製）が介装されている。
【００５９】
内胴１１はステンレス鋼製であり、筒状の胴部１１１と、風防ガラス１３側とは反対側に設けられる蓋部１１２とを有している。これら胴部１１１および蓋部１１２は、一体に形成されている。
胴部１１１の風防ガラス１３側の端部には、ムーブメント１Ａが固定される鍔部１１１Ａが形成されている。この鍔部１１１Ａは、おりん２０の内側から外側にまで延びている。
また、胴部１１１におけるハンマー本体４１と対向する位置には、ハンマー本体４１の打撃力をおりん２０に伝達する打撃力伝達部材としてのハンマーピンユニット５０が設けられている。胴部１１１には、ハンマーピンユニット５０が設けられるねじ孔１１１Ｂ（図４）が形成されている。
【００６０】
内胴１１の蓋部１１２には、おりん２０が固定される貫通孔１１２Ａと、蓋部１１２のおりん２０側の面から立ち上がる凸部１１２Ｂとが形成されている。貫通孔１１２Ａは、蓋部１１２の中央に形成されている。凸部１１２Ｂは、貫通孔１１２Ａを中心に円周状に形成されている。
【００６１】
〔３−２．ハンマーピンユニットの構成〕
図４は、内胴１１の胴部１１１においてハンマー本体４１（図１）の先端部に対向する位置に設けられたハンマーピンユニット５０を示す。
ハンマーピンユニット５０は、胴部１１１に固定される保持部としてのパイプ５１と、パイプ５１内を貫通するハンマーピン５２と、ハンマーピン５２の外周部とパイプ５１の内壁との間に介装されるゴム製の閉塞部材としてのＯリング５３（パッキング）と、パイプ５１における胴部１１１の内側の部分に設けられる付勢部材としてのコイルばね５４（圧縮）と、パイプ５１との間にコイルばね５４を係止するＣリング５５とを有している。
【００６２】
パイプ５１は鍔部５１１付きの筒体とされ、パイプ５１の外周部には雄ねじ５１２が形成されている。ハンマーピンユニット５０は、雄ねじ５１２が内胴１１のねじ孔１１１Ｂにねじ込まれることによって胴部１１１に固定されている。なお、鍔部５１１にはドライバーの先端を挿入可能なすり割り溝５１１Ａが形成されている。
パイプ５１の鍔部５１１と胴部１１１との間には、リング状のゴム製のパッキン５１３が介装されている。
【００６３】
ハンマーピン５２は、黄銅等の銅合金製であり、このハンマーピン５２における胴部１１１の内側の端部５２１がハンマー４０（図１）によって叩かれることにより、胴部１１１の外側の端部５２２がおりん２０の開口縁近傍の内周面を打つようになっている。
ハンマーピン５２は、外周に設けられたコイルばね５４により、胴部１１１の内側に向かって付勢されている。
【００６４】
このようなハンマーピンユニット５０では、閉塞部材としてのＯリング５３によってハンマーピン５２とパイプ５１との間の防水性が確保され、パッキン５１３によってパイプ５１と内胴１１との間の防水性が確保されている。
【００６５】
〔３−３．おりんの構成〕
図５は、時計１の横断面図である。この図５で図示されたムーブメント１Ａの構成は、ハンマー本体４１およびハンマートリップ４３のみであり、その他のムーブメント１Ａの構成は図示されていない。
おりん２０は、お椀型音源であり、図１および図５に示すように、内胴１１の胴部１１１および蓋部１１２を囲むように内胴１１の外側に設けられている。このおりん２０は、内胴１１の胴部１１１に対向する側壁部２１と、内胴１１の蓋部１１２に対向する底部２２（図１）とを有している。おりん２０の底部２２の中央部には、おりん２０を内胴１１に固定する固定部材２５（図１）が設けられている。
なお、本実施形態のおりん２０は黄銅などの銅合金等で形成され、おりん２０の表面には防錆メッキが施されている。ここで、おりん２０、ハンマーピン５２、およびハンマー本体４１はいずれも黄銅などの銅合金等で形成されており、打撃によっておりん２０が永久変形しにくいようになっている。
【００６６】
固定部材２５は、図１に示すように、おりん２０の底部２２に形成された貫通孔に圧入される金属製の固定部材本体としての固定パイプ２５１と、内胴１１の貫通孔１１２Ａおよび固定パイプ２５１に挿入されるねじピン２５２と、ねじピン２５２の雌ねじ部に螺合される止めねじ２５３と、おりん２０と内胴１１の蓋部１１２との間に介装される板状の弾性部材としての押さえばね２５４と、おりん２０と外側ケース３０との間に介装される板状の押さえばね２５５と、おりん２０を押さえる樹脂製リング２５６とを有している。おりん２０の底部２２の穴径は固定パイプ２５１の軸径より大きく設定されている。
なお、固定部材２５の構成部品を成す、固定パイプ２５１、ねじピン２５２、止めねじ２５３、押さえばね２５４、押さえばね２５５は、鉄材に防錆メッキを施したものでもよいし、ステンレス製でもよい。
ねじピン２５２と内胴１１の蓋部１１２との間には、ゴム製のパッキンＰＫ３が介装されている。
【００６７】
押さえばね２５４は、固定パイプ２５１の外周部に設けられる環状の部分と、この環状の部分から放射状に延びて蓋部１１２の凸部１１２Ｂに当接される複数の支持部２５４Ａとを有している。
また、押さえばね２５５は、おりん２０との間に樹脂製リング２５６を挟んだ状態で固定パイプ２５１の外周部に設けられる環状の部分と、この環状の部分から放射状に延びる複数の支持部２５５Ａとを有している。
なお、本実施形態では４つの支持部２５４Ａと、４つの支持部２５５Ａとが設けられている。これらの支持部２５４Ａ，２５５Ａの数はこれに限定されないが、おりん２０の平面位置を規定するために、３つ以上であることが好ましい。
【００６８】
固定パイプ２５１に挿入されたねじピン２５２に止めねじ２５３を締めることにより、押さえばね２５４，２５５が軽く適度に撓んだ状態となり、おりん２０は押さえばね２５４，２５５に挟まれた状態で保持される。このような固定部材２５により、おりん２０は、固定部材２５以外の部品（内胴１１や外側ケース３０等）と接触せずに吊られた状態で固定されている。
【００６９】
なお、おりん２０が自重により下方にさがっている状態において、押さえばね２５４と内胴１１の蓋部１１２との間、押さえばね２５４とおりん２０との間、押さえばね２５５と外側ケース３０との間、押さえばね２５５とおりん２０との間にはそれぞれ、隙間が形成されている。
押さえばね２５４，２５５のばね性は、通常の使用状態において、おりん２０が内胴１１や外側ケース３０に接触する位置まで移動することがないような強度（剛性）に設定されている。
【００７０】
〔３−４．外側ケースの構成〕
外側ケース３０は、図１および図５に示すように、おりん２０の側壁部２１に対向する略筒状の外胴３１と、おりん２０の底部２２に対向する裏蓋３２とを有している。外胴３１とおりん２０とは離間しており、裏蓋３２とおりん２０とは固定部材２５が設けられる部分を除いて離間している。
外胴３１は、金、プラチナ等の貴金属で形成されている。この外胴３１には、周方向の複数箇所において、外胴３１を貫通する開口部３１１が形成されている。本実施形態では、図５に示すように、４つの開口部３１１が外胴３１の周方向に等間隔で形成され、一つの開口部３１１の中心はハンマーピン５２の軸線に対応しているが、外側ケース３０に形成される開口部の位置、数、形状等はこれに限られない。
【００７１】
外側ケース３０の外胴３１の上端部には、内胴１１の鍔部１１１Ａがねじ３１２（図１）によって固定されている。なお、ねじ３１２は外胴３１の周方向の複数箇所に設けられており、鍔部１１１Ａにおいてねじ３１２が設けられる位置よりもムーブメント１Ａ側の位置には、ゴム製のパッキンＰＫ４が設けられている。
また、外胴３１において内胴１１の鍔部１１１Ａが固定された位置とは異なる複数箇所において、外胴３１はガラス縁１２にねじ３１３によって固定されている。
【００７２】
裏蓋３２は、周方向の数箇所でねじ３２１によって外胴３１に固定されている。また、裏蓋３２のおりん２０側の面には、固定部材２５の押さえばね２５５の先端部が当接される円周状の凸部３２２が形成されている。
【００７３】
〔４．時計の組立〕
以上のような構成の時計１は、例えば、次のように組み立てられる。
内胴１１に、ハンマーピンユニット５０、巻真１Ｅが挿通されるパイプ、図示しない押しボタンの軸が挿通されるパイプ、およびおりん２０を組みつけておき、外側ケース３０内に裏蓋３２が設けられる側から内胴１１を挿入し、パッキンＰＫ４を介してねじ３１２で固定する。これにより、外側ケース３０と内胴１１とが一体となる。
次に、内胴１１内に風防ガラス１３が設けられる側からムーブメント１Ａを挿入し（バヨネット形式）、ムーブメント１Ａを内胴１１の鍔部１１１Ａに図示しないねじ等により周方向の複数箇所で固定して回転を規制する。
【００７４】
次いで、風防ガラス１３が圧入されたガラス縁１２を内胴１１の胴部１１１にパッキンＰＫ２を介装した状態で載せ、ガラス縁１２を裏蓋３２側からねじ３１３で外胴３１に固定する。
さらに、りゅうず１Ｆを取り付けた巻真１Ｅを外側ケース３０の外胴３１の孔、内胴１１のパイプを通してムーブメント１Ａ内に挿入する。
最後に、裏蓋３２を外胴３１にねじ３２１で止めることにより、内胴１１、ガラス縁１２、風防ガラス１３、外胴３１、および裏蓋３２が一体に組み立てられる。
【００７５】
ここで、内胴１１、ガラス縁１２、および風防ガラス１３により構成される内側ケース１０の内部は、パッキンＰＫ１〜ＰＫ４により密閉された気密室となるため、ムーブメント１Ａは、内側ケース１０内に気密状態で収容されている。
これに対して、外側ケース３０には開口部３１１が形成されているため、外側ケース３０の内側と外側とは空気の出入りが自在となっている。
【００７６】
なお、ムーブメント１Ａに設けられる巻真１Ｅや図示しない押しボタンの軸が外胴３１、おりん２０、および内胴１１を貫通しているが、これらの巻真１Ｅや押しボタンの軸と内胴１１に設けられるパイプとの間にパッキンが介装されることにより、内側ケース１０の内部は気密となっている。
また、ハンマーピンユニット５０（図４）においても、前述したＯリング５３およびパッキン５１３により、内側ケース１０の内部は気密に保たれている。
【００７７】
〔５．ソヌリ機構の動作〕
図２、図３を参照し、本実施形態におけるソヌリ機構４の動作を説明する。
筒かなＭの回転に伴い、スクリューナット６１（図２）は１時間に１回転する。ここで、スクリューナット６１に突設された突起６１１がリリースレバー６３の本体に回転可能に設けられたビーク６３１に接触する前に、スクリューナット６１に突設されたピン６１２が数取り車６２の星形歯車６２１に係合し、数取り車６２を１時間分（１／１２回転＝３０度）だけ回転させる。
【００７８】
筒かなＭが回転してスクリューナット６１の突起６１１がリリースレバー６３のビーク６３１に当接し、リリースレバー６３が図２における反時計回りに回転すると、リリースレバークリック６３３を介してＣＷ６５のリリースラチェット６５２も回転する。すると、リリースラチェット６５２に圧入されたリリースピン６５２Ａ（図３）がドライビングローラ６５１の長穴６５１Ａに沿って図３における左上方向に移動し、ＣＷリリースクリック６５５をＣＷリリースクリックばね６５６に抗って図３における反時計回り方向に回転させる。これにより、ＣＷリリースクリック６５５の爪部６５５Ａがドライビングラチェット６６０から外れる。このとき、ＨＲＲ６４（図２）は、ＨＲＲクリック６４３の先端が数取り車６２の側面６２Ａに当接するまで、ＧＲＰ６５７を図２における時計回り方向に瞬間的に回転させる。そして、ＧＲＰ６５７に固定されているアワーラチェット６５９は、外周の三角歯６５９Ａでハンマートリップ４３を弾きながら、時計回りに回転する。
【００７９】
また、ＣＷリリースクリック６５５（図３）がドライビングラチェット６６０から外れると、ドライビングローラ６５１がＧＲＰ６５７との拘束から解放され、ドライビングローラ６５１は香箱車４Ａから動力伝達輪列４Ｂ、センターホイールピニオン６５３を介して伝達されるトルクで図２における反時計回り方向に回転を始める。
このドライビングローラ６５１の回転速度は、調速装置４Ｃにより調速された香箱車４Ａの回転速度と同様であり、ドライビングローラ６５１は非常にゆっくりしたほぼ一定の速度で回転する。
【００８０】
センターホイールピニオン６５３と一体のドライビングローラ６５１が回転すると、リリースレバークリック６３３に押されたままのリリースラチェット６５２はそのまま停止しているので、リリースピン６５２Ａに押し上げられていたＣＷリリースクリック６５５はＣＷリリースクリックばね６５６のばね力で再びドライビングラチェット６６０に噛み合う。これにより、ＧＲＰ６５７はＣＷリリースクリック６５５に拘束され、ドライビングローラ６５１と一体になって反時計回り方向に回転する。
【００８１】
このとき、ＧＲＰ６５７に固定されているアワーラチェット６５９が反時計回りに回転し、アワーラチェット６５９の三角歯６５９Ａがハンマートリップ４３に当たることにより、ハンマートリップ４３が時計回り方向に回転する。この際、ハンマートリップ４３の爪によってハンマー本体４１の突起４１２が押され、ハンマー本体４１はハンマーばね３４２の付勢力に抗っておりん２０から離れる方向に持ち上がる。そして、アワーラチェット６５９がさらに反時計回りに回転して三角歯６５９Ａがハンマートリップ４３の爪を通過すると、ハンマー本体４１はハンマーばね４２によってハンマーピン５２の端部５２１を叩く。これによってハンマーピン５２はパイプ５１内をスライドし、その端部５２２がおりん２０の側壁部２１を打つ。
【００８２】
ハンマーピン５２は、おりん２０を打った直後、おりん２０からの反発力とコイルばね５４のばね力とによって元の位置（図２において、ハンマー本体４１を示す実線の位置）に引き戻される。このようなハンマーピン５２の往復変位によってハンマー本体４１の打撃力がおりん２０に伝達され、おりん２０が振動するとともに、おりん２０の振動による空気振動によって打撃音が響く。この空気振動は、外側ケース３０の開口部３１１を介して行われる。空気振動を利用するおりん２０の音は、おりん２０のゆっくりとした振動減衰により余韻や残響のある状態で鳴り、このような深みのあるおりん２０本来の音が開口部３１１を通じて外部に直接、十分な音量で放出される。なお、開口部３１１は複数設けられているため、おりん２０の音が時計外周から全方向に聞こえる。
【００８３】
ここで、おりん２０がハンマーピン５２を介して打たれると、固定部材２５の支持部２５４Ａ，２５５Ａが適度に撓み、おりん２０はハンマーピン５２と離間する側に揺れるため、ハンマーピン５２が戻るまで、おりん２０が再度ハンマーピン５２と当たることはない。このため、長い余韻を確保できる。
【００８４】
このおりん２０を打つ動作は、ドライビングローラ６５１が回転してアワーラチェット６５９の三角歯６５９Ａがハンマートリップ４３に当たる度に行われるので、数取り車６２の回転位置に応じた時刻の時数分だけおりん２０が鳴らされる。従って、時計１の使用者は、鳴らされた音の数で時刻を知ることができる。
なお、調速装置４Ｃによって香箱車４Ａの回転速度が調速されることにより、おりん２０が打たれる時間間隔が長いため、おりん２０の音の余韻をより十分に響かせることができる。
【００８５】
数取り車６２の回転位置に応じた時刻の時数分だけおりん２０が鳴らされると、ＧＲＰ６５７の無歯形部６５７Ａと、ＨＲＲ６４の規制部６４６とが接触し、ＣＷ６５の回転が停止する。
筒かなＭの回転によってビーク６３１がスクリューナット６１の突起６１１から外れると、リリースレバー６３はばね力によって時計回り方向に回転し、初期位置に戻る。
以上が、ソヌリ機構４の一連の動作である。
【００８６】
本実施形態により、次のような効果が得られる。
（１）ソヌリ機構４を備える時計１において、内側ケース１０の外側におりん２０が配置され、ハンマー４０の打撃力がハンマーピンユニット５０を介しておりん２０に伝達される構成とした。このような構成では、ハンマー４０には、ハンマーピン５２側に向かって当該ハンマー４０を付勢するハンマーばね４２が設けられ、ハンマーピン５２には、胴部１１１の内側に向かって当該ハンマーピン５２を付勢するコイルばね５４が設けられている。すなわち、時計製造時において、それぞれ別部材であるハンマー４０およびハンマーピン５２に設けられるハンマーばね４２およびコイルばね５４の付勢力をそれぞれ設定するだけでよい。したがって、ハンマー４０にそれぞれ異なる方向に付勢力が作用するばねを設ける構成に比べて、バネ力を容易に設定でき、時計製造効率も向上させることができる。
また、ハンマーピン５２は、おりん２０を打った直後、おりん２０からの反発力とコイルばね５４のばね力とによって元の位置に引き戻されるため、ハンマー４０の付勢力でおりん２０を押圧し続けて振動を阻害することがない。したがって、おりん２０を良好に振動させることができ、初期音圧も大きく、余韻も長い良好な音を発生させることができる。
（２）内側ケース１０を気密としたため、おりん２０が空気出入り自在の空間で振動し、空気振動によっておりん２０本来の音を十分な音量で響かせることが可能となった。つまり、おりん２０は気密室外にあり、おりん２０の外周を囲む外胴３１には複数の開口部３１１があるので、おりん２０の音が直接外部に響く。そして、ムーブメント１Ａが気密空間とされた内側ケース１０内に配置されるため、時計携帯中の水や水蒸気の浸入を防止でき、ムーブメント１Ａの錆びや水没による故障を防止できる。すなわち、本構成により、ムーブメント１Ａの防水性とおりん２０の本来の音の発生とを両立できる。
【００８７】
（３）開口部３１１が形成された外胴３１によっておりん２０が覆われているため、衣服の袖口などが時計１の外周部に接触してもおりん２０には接触せず、おりん２０の振動が減衰しない。なお、おりん２０において底部２２よりも音の響きに貢献する側壁部２１に対向する位置に開口部３１１が形成されているため、おりん２０の音がより十分な音量で、かつ良好な音色で外側ケース３０の外部に伝わる。
【００８８】
（４）おりん２０の内部スペースに内側ケース１０が設けられるので、時計１を薄型化できる。このようにスペース効率が良いためおりん２０を大きく設けることができ、その分、音の余韻を長くすることができる。
【００８９】
（５）ハンマー４０による打撃力をおりん２０に伝達する手段として、ハンマーピン５２を含むハンマーピンユニット５０を採用したので、巻真１Ｅや押しボタンの軸などに用いられる既存の防水構造と同様に、ハンマーピンユニット５０の防水構造を実現できる。すなわち、既存の時計技術の転用が可能なため、新たな部品構造が不要で、コストが掛からない。
【００９０】
（６）ハンマー４０を有するムーブメント１Ａ、およびハンマーピンユニット５０が設けられる内胴１１におりん２０が固定される構成のため、ハンマーピン５２とおりん２０との距離や、ハンマー本体４１の位置と打撃力との関係などを調整した後、外側ケース３０を組みつけることが可能となる。これにより、ソヌリ機構４の動作に関する組立後の再調整を不要にできる。
【００９１】
（７）おりん２０の底部２２に固定部材２５が設けられることにより、おりん２０の側壁部２１に固定部材が設けられる場合と比べておりん２０の振動が減衰しにくく、余韻のある音を響かせることが可能となる。また、おりん２０の底部２２の穴径が固定パイプ２５１の軸径より大きいため、樹脂製リング２５６の変形により、おりん２０は自由に振動できる。さらに、おりん２０の振動を妨げない状態で押さえばね２５４，２５５がおりん２０を支持しているので、おりん２０の振動が減衰しにくく、おりん２０の音の余韻を長くできる。
そして、落下などの衝撃の際に押さえばね２５４，２５５が撓むことにより、おりん２０の底部２２の中央部や固定パイプ２５１などが塑性変形してしまうことを防止できる。
【００９２】
〔第２実施形態〕
次に、本発明の第２実施形態について図６〜図８を参照して説明する。
本実施形態では、音源としておりんではなくゴングが使用され、本実施形態の時計はリピータ機構を備えている。また、本実施形態の時計は、裏蓋側にガラスが設けられるシースルーバック仕様となっている。さらに、本実施形態には、第１実施形態とは異なる打撃力伝達部材が使用されている。主にこれらの点を除いて、本実施形態の時計は第１実施形態の時計１と略同様に構成されている。
【００９３】
図６は、本実施形態の時計７の縦断面図であり、図７は、時計７の横断面図である。なお、図７では、ハンマー本体４１およびハンマートリップ４３以外のムーブメントの構成部品は図示されていない。
時計７は、本体としてのムーブメント７Ａと、ムーブメント７Ａを収容する内側ケース７１と、内側ケース７１の外側に設けられるＣ字状の音源としてのゴング７２と、ゴング７２を覆う外側ケース７３とを備えている。
【００９４】
本実施形態のムーブメント７Ａには、第１実施形態のソヌリ機構の代わりにゴング７２を打つ回数によって１時間毎や１５分毎、１分毎に時刻を表すリピータ機構が搭載されており、このリピータ機構は、ハンマー４０と、ハンマー４０による打撃動作を制御するハンマー駆動装置としての打撃制御装置（図示せず）と、ゴング７２と、打撃力伝達部材としてのハンマーピン７４とを有して構成されている。このリピータ機構の非動作時、ハンマー４０は、打撃制御装置に含まれる係止手段によって静止した状態に保たれている。
本実施形態のリピータ機構は、ハンマーピン７４を除いて従来の構成と同様であるため、打撃制御装置などの説明を省略する。なお、本実施形態においても、第１実施形態のソヌリ機構４を適用することが可能である。すなわち１時間毎に時刻の時数に応じた回数だけゴング７２を鳴らす機構でもよい。
【００９５】
内側ケース７１は、筒状の内胴７１１と、内胴７１１の裏蓋側に設けられる裏側ガラス７１２と、風防ガラス１３と、ガラス縁１２とを有している。
内胴７１１の上端には、外胴７３１に固定される鍔部７１１Ａが形成されている。また、内胴７１１の側面には、ハンマーピン７４が設けられる保持部としての貫通孔７１１Ｂ（図８）が形成されている。
また、内胴７１１の内周部には、樹脂製のパッキンＰＫ５が介装された状態で裏側ガラス７１２が圧入されている。
【００９６】
ゴング７２は、焼入れされた鋼製の棒状部材をＣ字状に曲げたものであり、内胴７１１の外周面および外胴７３１に対して離間した状態で設けられている。図７に示すように、このゴング７２の基端部７２Ａは内胴７１１に設けられたゴングベース７２０の穴に圧入された状態で固定されている。
ゴングベース７２０は、鉄製の直方体ブロック状の部材であり、ねじ７２０Ａで内胴７１１の外周面に固定されている。ねじ７２０Ａが挿入される内胴７１１のねじ穴は袋穴となっているため、内胴７１１内の気密が確保されている。このため、ねじ７２０Ａの周りにゴムパッキンなどを設ける必要はない。これにより、ゴング７２の振動がパッキンによって吸収されて音量が下がったり、減衰したりしない。
【００９７】
外側ケース７３は、図６に示すように、筒状の外胴７３１と、裏側ガラス７１２の周縁部を保持する裏蓋リング７３２とを有している。
外胴７３１には、周方向の複数箇所に開口部３１１が形成されている。また、外胴７３１の内周部上端側には、内胴７１１の鍔部７１１Ａを載置する載置部７３１Ａが形成されている。
【００９８】
裏蓋リング７３２には、外胴７３１の内部に侵入した水を排出する複数の水抜き孔７３２Ａが形成されている。これらの水抜き孔７３２Ａは、裏蓋リング７３２の周方向に複数箇所形成されている。また、水抜き孔７３２Ａは、開口部としての機能も有している。
【００９９】
なお、本実施形態ではゴング７２およびハンマー４０は一つずつ設けられているが、複数のゴングおよびハンマーを設けることも可能である。各ゴングの長さを変えて固有振動数を異ならせることにより、打撃音の高さが変わり、異なる高さの打撃音の組み合わせによって時刻を告げることが可能となる。複数のゴングを設ける場合、内胴７１１の側面に高さ方向の位置を変えて各ゴング同士が接触しないように設ければよい。また、各ゴングを共通のゴングベースに固定することもできるし、複数のゴングベースを内胴の周方向の複数箇所に設けても良い。１つのゴングベースの両側から時計回り方向および反時計回り方向にゴングをそれぞれ設けることもできる。また、ゴングの両端の高さを異ならせてスパイラル状に設けることもできる。
【０１００】
図８は、ハンマーピン７４を示す。ハンマーピン７４は、ゴング７２の基端部７２Ａ（図７）近傍の位置で、内胴７１１の貫通孔７１１Ｂと、ムーブメント７Ａの外周部に形成されたピン係止部７Ｂとにパイプ等を介さずに直接挿入されている。このハンマーピン７４は、ゴング７２を打つ平面視三角状の打撃部７４１（図７参照）と、ピン係止部７Ｂを貫通して付勢部材としての板ばね７５に係合する溝７４２とを有している。ハンマーピン７４の外周部と内胴７１１の貫通孔７１１Ｂとの間にはＯリング５３が介装されている。
【０１０１】
板ばね７５は平面視矩形状であって湾曲して形成されており、一方の短辺から他方の短辺に向かって切欠が形成されている。この切欠にハンマーピン７４の溝７４２が挿入されている。この板ばね７５はピン係止部７Ｂに対してハンマーピン７４をハンマー４０側に付勢している。
【０１０２】
本実施形態の時計７は、次のように組み立てられる。
まず、裏側ガラス７１２を内胴７１１に樹脂製のパッキンＰＫ５を介して固定する。
外胴７３１の載置部７３１Ａに樹脂製のパッキンＰＫ６を配置するとともに、外胴７３１内に風防ガラス１３が設けられる側から内胴７１１を挿入し、外胴７３１の載置部７３１Ａに内胴７１１の鍔部７１１Ａを載せる。この際、パッキンＰＫ６が載置部７３１Ａと鍔部７１１Ａの側面との間で時計の径方向に弾性変形し、鍔部７１１Ａは載置部７３１Ａに圧入された状態で固定される。このパッキンＰＫ６の構成は、第１実施形態の時計の厚み方向に弾性変形するパッキンＰＫ４（図１）の構成とは相違する。
なお、外胴７３１と内胴７１１とを組み付ける際、内胴７１１に予めゴング７２を固定しておく。
【０１０３】
次に、外胴７３１に装着された状態の内胴７１１の内部に風防ガラス１３が設けられる側からムーブメント７Ａを挿入し、ムーブメント７Ａの地板の周縁部と係合するねじ７３１Ｂによって地板を挟んだ状態でムーブメント７Ａを外胴７３１の上端に固定する。
このように外胴７３１に固定された状態のムーブメント７Ａに巻真１Ｅ、図示しない押しボタン、ハンマーピン７４および板ばね７５を組み付ける。
【０１０４】
次いで、外胴７３１の上端とガラス縁１２との間にパッキンＰＫ２を介装した状態で、パッキンＰＫ２の内周側に設けられるねじ７３１Ｃによってガラス縁１２を外胴７３１に固定する。ねじ７３１Ｃの軸周りにはパッキンが設けられている。
最後に、裏蓋リング７３２を図示しないねじで外胴７３１に固定することにより、内胴７１１、ガラス縁１２、風防ガラス１３、外胴７３１、裏蓋リング７３２、および裏側ガラス７１２が一体に組み立てられる。
【０１０５】
ここで、内胴７１１、裏側ガラス７１２、ガラス縁１２、および風防ガラス１３により構成される内側ケース７１の内部は、パッキンＰＫ１，ＰＫ２，ＰＫ５，ＰＫ６により密閉された気密室となるため、ムーブメント７Ａの防水性が確保される。
【０１０６】
本実施形態におけるリピータ機構においても、第１実施形態のソヌリ機構４とほぼ同様に、指針の駆動輪列の動作に連動してハンマー４０の打撃制御が行われる。ハンマー本体４１は、打撃制御装置による制御によって一旦、ゴング７２から離れる方向に回動した後、ハンマーピン７４の端部を叩いてゴング７２側に移動させる。これによってハンマーピン５２はゴング７２を打ち、励振させる。
【０１０７】
ハンマーピン７４は、ゴング７２を打った後、板ばね７５のばね力によって元の位置に戻るため、次にハンマー４０によって打たれるまで、ゴング７２に接触しない。
以上により、ゴング７２が振動するとともに、ゴング７２の振動による空気振動によって打撃音が響き、外胴７３１の開口部３１１を通じて外部に直接、十分な音量で放音される。打撃制御部は、分に応じた回数だけハンマー４０を打撃動作させた後、再び、係止手段によってハンマー４０を静止させる。
【０１０８】
本実施形態によれば、第１実施形態と略同様に、内側ケース７１を気密に構成するとともに、ゴング７２を内胴７１１の外側に設けることにより、防水性とゴング７２本来の音とを両立できる。
【０１０９】
また、本実施形態によれば、第１実施形態で述べた効果と略同様の効果に加えて、次のような効果も奏する。
（８）内胴７１１と外胴７３１との固定に関し、内胴７１１の鍔部７１１Ａの側面と外胴７３１の載置部７３１Ａとの間にパッキンＰＫ６が介装される構成としたので、第１実施形態のパッキンＰＫ４のように上下方向で挟む構成よりも内胴７１１と外胴７３１との接合部の厚みを薄くできる。これにより、ゴング７２周辺の空間を広くでき、打撃音をより大きく響かせることができる。
【０１１０】
（９）ハンマーピン７４が直接内胴７１１に設けられているため、第１実施形態のパイプ５１を有するハンマーピンユニット５０を使用する場合よりも内胴７１１の厚みを薄くでき、時計７を薄型にできる。
【０１１１】
〔第３実施形態〕
次に、本発明の第３実施形態について図９〜図１１を参照して説明する。
本実施形態では、内側ケースおよび外側ケースの組み付け構造が前記各実施形態とは相違する。また、本実施形態には、前記各実施形態とは異なる打撃力伝達部材が使用されている。主にこれらの点を除いて、本実施形態の時計は第２実施形態の時計７と略同様に構成されている。
【０１１２】
図９は、本実施形態の時計８の縦断面図である。この図９には巻真１Ｅが設けられる部分の断面を示した（図９の右半分）。また、図１０は、時計８の横断面図である。この図１０では、ハンマー本体４１およびハンマートリップ４３以外のムーブメント７Ａの構成部品は図示されていない。
時計８は、ムーブメント７Ａと、ムーブメント７Ａを収容する内側ケース８１と、内側ケース８１の外側に設けられるゴング７２と、ゴング７２を覆う外側ケースとしての外胴８３とを備えている。
【０１１３】
内側ケース８１は、筒状の磁性体としての内胴８１１と、内胴８１１の裏蓋側に設けられる裏側ガラス８１２および裏蓋リング８１３と、風防ガラス１３と、ガラス縁１２とを有している。
内胴８１１は、純鉄や、フェライト系のステンレス鋼で形成された耐磁体であり、ムーブメント７Ａの構成部品を磁化から保護する耐磁板を兼ねている。なお、内胴８１１に３０μｍ程度の厚い防錆メッキを施したり、防錆塗料を塗布したりすることにより、内胴８１１が純鉄やフェライト系ステンレス鋼であって、外胴８３が金やプラチナ等の貴金属で形成されていても、異種金属間に生じる電位差腐食を防止できる。内胴８１１の側面は外胴８３で覆われており、時計８の使用時に直接触れられないので、摩擦や傷により内胴１１の表面処理が損われるおそれはない。なお、内胴８１１の表面を改質して防錆性能を向上させたフェライト系ステンレス鋼を用いることにより、メッキやコーティング処理が不要となる。
また、ゴングベース７２０を内胴８１１にねじ止めする際には、防錆のためにねじ部分に嫌気性接着剤を塗布するとよい。
【０１１４】
内胴８１１の下端部には、ゴム製のパッキンＰＫ７を介装した状態で裏蓋リング８１３がねじ８１３Ａで固定されている。
裏蓋リング８１３の内周部には、樹脂製のパッキンＰＫ８を介して裏側ガラス８１２が圧入されている。これにより、裏側ガラス８１２および裏蓋リング８１３は時計の裏蓋として機能する。
【０１１５】
内胴８１１の上端には、ムーブメント７Ａの地板が固定される鍔部８１１Ａが形成されている。また、内胴８１１の側面には、打撃力伝達部材としてのハンマーピンユニット９０が設けられる貫通孔８１１Ｂ（図１１）が形成されている。
【０１１６】
外胴８３には、周方向の複数箇所に開口部３１１が形成されている。また、外胴８３の内周部上端側には、内胴８１１の鍔部８１１Ａを載置する載置部８３１が形成されている。
【０１１７】
図１１は、打撃力伝達部材としてのハンマーピンユニット９０を示す。ハンマーピンユニット９０は、内胴８１１に設けられる外側パイプ９０１と、ガイドパイプ９０２と、第１ハンマーピン９０３と、第１ハンマーピン９０３に連結される第２ハンマーピン９０４と、ムーブメント７Ａの地板に設けられる付勢部材としてのばね９０５（図１０参照）と、外側パイプ９０１の開口を気密状態に塞ぐ弾性部材としての弾性シート９０６と、弾性シート９０６を外側パイプ９０１の端部に固定する固定リング９０７とを有している。
【０１１８】
外側パイプ９０１は、金属製の鍔付きの筒体であり、内胴８１１の貫通孔８１１Ｂに圧入した状態で固定されている。また、ガイドパイプ９０２は樹脂製の鍔付きの筒体であり、鍔部が外側パイプ９０１に係合した状態で外側パイプ９０１内に圧入されている。このガイドパイプ９０２の材質は、テフロン（登録商標）やデルリン（登録商標）など、外側パイプ９０１よりも低摩擦のものとされている。
これらの外側パイプ９０１およびガイドパイプ９０２は、第１ハンマーピン９０３、第２ハンマーピン９０４が挿入される保持部として機能する。なお、ガイドパイプ９０２が設けられずに、一体のパイプのみによって保持部が構成されていてもよい。
【０１１９】
本実施形態では、第１ハンマーピン９０３、第２ハンマーピン９０４の二体により、ハンマー４０に叩かれた際にゴング７２を打つピンが構成されている。第１ハンマーピン９０３は、ガイドパイプ９０２にガタがある状態で挿入されており、ばね９０５（図１０）によって内胴８１１の内側に向かって付勢されている。第１ハンマーピン９０３、第２ハンマーピン９０４は、ゴング７２を打った後、ばね９０５のばね力によって元の位置に引き戻される。
第２ハンマーピン９０４は、平面三角形状の打撃部７４１を有しており、第１ハンマーピン９０３の穴に圧入固定されている。
【０１２０】
弾性シート９０６は、防水性を有するシートを環状に切り抜かれて形成された環状体とされ、弾性シート９０６の内周縁部は第１ハンマーピン９０３、第２ハンマーピン９０４の間に潰された状態で挟持されている。この弾性シート９０６は汎用品を簡易な抜き型で抜くことによって安価に製作できる。弾性シート９０６の外周縁部は、外側パイプ９０１の鍔部に嵌められる固定リング９０７によって潰されている。この弾性シート９０６により外側パイプ９０１の開口が塞がれるため、ハンマーピンユニット９０が設けられていても内胴８１１内の防水性が確保されている。なお、弾性シート９０６の内周縁部および外周縁部にそれぞれ、コーティング剤や接着剤を塗ることにより、防水性が向上する。
【０１２１】
本実施形態の時計８は、次のように組み立てられる。内胴８１１の外周部にゴング７２の端部が圧入されたゴングベース７２０をねじ７２０Ａで固定する。さらにハンマーピンユニット９０を組み付けた内胴８１１に風防ガラス１３が設けられる側からムーブメント７Ａを挿入し、ムーブメント７Ａの地板を内胴８１１の鍔部８１１Ａにねじ８１１Ｃで止める。
次に、ムーブメント７Ａおよびゴング７２が取り付けられた状態の内胴８１１を外胴８３に風防ガラス１３側から挿入し、内胴８１１の鍔部８１１Ａを外胴８３の載置部８３１に載せる。そして、内胴８１１の鍔部８１１Ａにゴム製のパッキンＰＫ９を介してガラス縁１２を載せ、裏蓋側から挿入されるねじ８３２により、外胴８３とガラス縁１２とを内胴８１１の鍔部８１１Ａを挟持した状態に固定する。
最後に、裏側ガラス８１２が設けられた裏蓋リング８１３を内胴８１１の下端にパッキンＰＫ７を介在させてねじ８１３Ａで固定することにより、内胴８１１、ガラス縁１２、風防ガラス１３、外胴８３、裏蓋リング８１３、および裏側ガラス８１２が一体に組み立てられる。
【０１２２】
ここで、内胴８１１、裏側ガラス８１２、裏蓋リング８１３、ガラス縁１２、および風防ガラス１３により構成される内側ケース８１の内部は、パッキンＰＫ１，ＰＫ７，ＰＫ８，ＰＫ９により密閉された気密室となるため、ムーブメント７Ａの防水性が確保されている。なお、ハンマーピンユニット９０の弾性シート９０６や、巻真１Ｅに設けられるＯリング１Ｈにより、内側ケース８１の内部は気密に保たれている。
【０１２３】
本実施形態におけるリピータ機構の動作は、第２実施形態と同様である。ムーブメント７Ａに搭載された打撃制御装置による打撃制御により、ハンマー本体４１が第１ハンマーピン９０３の端部を叩き、第１ハンマーピン９０３、第２ハンマーピン９０４がガイドパイプ９０２内をゴング７２側に向かって移動し、第２ハンマーピン９０４の打撃部７４１がゴング７２を打つ。
ここで、弾性シート９０６が弾性変形して第１ハンマーピン９０３、第２ハンマーピン９０４の移動に追従することから、第１ハンマーピン９０３、第２ハンマーピン９０４はゴング７２に向かってスムースに移動する。弾性シート９０６の内周縁部および外周縁部の位置は固定されているため、外側パイプ９０１とガイドパイプ９０２とは摺動しない。
【０１２４】
本実施形態によれば、第２実施形態と同様の効果に加えて、次のような効果が得られる。
（１０）内胴８１１が磁性体であることにより、ムーブメント７Ａ内の部品の磁化を防止する耐磁板を別途設ける必要が無くなる。これにより、部品点数を削減できるので、低コスト化でき、また、耐磁板の寸法分、小型化が可能となる。
そのうえ、内胴８１１が磁性体とされることにより、外胴８３は貴金属で形成できるので、外観の美観を保ちながら耐磁性と小型化とを両立できる。
【０１２５】
（１１）ハンマーピンユニット９０の第１ハンマーピン９０３とガイドパイプ９０２との間に防水用のＯリングを設ける代わりに、弾性シート９０６によってハンマーピンユニット９０の防水性を確保したので、Ｏリングを用いる場合と比べて打撃力伝達部材である第１ハンマーピン９０３、第２ハンマーピン９０４の移動時の抵抗を格段に小さくできる。Ｏリングが磨耗によってちぎれる等の不具合も生じない。このように弾性シート９０６を用いることにより、第１ハンマーピン９０３、第２ハンマーピン９０４を介してゴング７２に伝達される打撃力を大きくできるとともに、ゴング７２の打撃に要するエネルギ消費を小さくできる。これにより、香箱車４Ａが内蔵するゼンマイの持続時間を長くできる。
また、弾性シート９０６の内周縁部および外周縁部の位置が固定されているため、Ｏリングを用いる場合と比べて防水性をより確実なものにできる。
【０１２６】
（１２）弾性シート９０６が環状とされて第１ハンマーピン９０３、第２ハンマーピン９０４の外周に設けられているので、孔があいていない弾性シートがハンマーとピンとの間に介在する場合のようなシートを潰すことによる機械エネルギの損失がない。
【０１２７】
（１３）ピンが二体とされることで第１ハンマーピン９０３、第２ハンマーピン９０４の材質の選択の自由度が向上する。
【０１２８】
（１４）内胴８１１にムーブメント７Ａおよびゴング７２を固定してから、外胴８３を組みつけているので、ハンマー４０の位置とゴング７２との距離などの調整をした後、外胴８３を組み付けることができる。
【０１２９】
（１５）組立の最後に裏蓋（裏側ガラス８１２および裏蓋リング８１３）を取り付けるので、内胴８１１と外胴８３とを組み付けた後でも、ムーブメント７Ａ内の部品調整が可能となる。
また、裏蓋はねじ８１３Ａによって着脱可能に設けられるので、風防ガラス１３を取り外すなどしなくても、ムーブメント７Ａなどのメンテナンスを容易にできる。このため、巻真１Ｅをムーブメント７Ａおよび内胴８１１などから抜き取るためにオシドリを傾ける手段を裏蓋側に設けることができる。これにより、ムーブメント７Ａのメンテナンス時に文字板１Ｇを取り外す必要がないから、文字板１Ｇをムーブメント７Ａに固定できる。
【０１３０】
（１６）ガラス縁１２と外胴８３とを止めるねじ８３２がガラス縁１２と内胴８１１との間のパッキンＰＫ９よりも外側に配置されているので、ねじ８３２の外周にパッキンを設けることを不要にできる。
【０１３１】
〔第３実施形態の第１変形例〕
図１２は、第３実施形態の変形例として、ゴングベース８２０と外胴８３の内周部との位置関係を示す。本例のゴングベース８２０は、外胴８３の内周部の最内端８３Ａに近接しているが接触しない位置に設けられている。外胴８３の最内端８３Ａは、載置部８３１の内径である。このようにゴングベース８２０を含む内胴８１１の外径が載置部８３１の内径よりも小さければ、ゴングベース８２０の穴８２０Ａに固定された弾性体のゴング７２（図１０）の先端側を巻き締めることによって、ゴング７２が設けられた状態の内胴８１１を外胴８３内に容易に挿入できる。
また、本例では、ゴングベース８２０を内胴８１１の側面に固定する２つのねじ７２０Ａが時計厚み方向に並んでいる。こうすることで、ゴング７２が圧入される穴８２０Ａの深さ方向とねじ７２０Ａの挿入方向とが重ならないので、ゴングベース８２０を小型化できる。
【０１３２】
〔第３実施形態の第２変形例〕
また、図１３は、第３実施形態の変形例として、打撃力伝達部材としてのハンマーピンユニット９０'を示す。このハンマーピンユニット９０'では、外周部に雄ねじ９０１Ａが形成された外側パイプ９０１'が内胴８１１'のねじ孔にねじ込まれている。外側パイプ９０１'の鍔部と内胴８１１の側面との間はパッキンＰＫによって防水されている。第３実施形態では圧入によって内胴に外側パイプが装着されていたが、本例のようにねじ止めによって内胴に外側パイプが装着されていてもよい。
なお、本例では、弾性シート９０６が外側パイプ９０１'の内周側段差部に配置され、弾性シート９０６の外周縁部は外側パイプ９０１'の内周に圧入された固定リング９０７'によって潰されている。
【０１３３】
〔第３実施形態の第３変形例〕
図１４は、第３実施形態の変形例として、打撃力伝達部材としてのハンマーピンユニット９０''を示す。内胴８１１'の内側から外側パイプ９０１''がねじ込まれ、内胴８１１'の外側に突出した外側パイプ９０１''の端部に、ワッシャ９０８を介して固定リング９０７''がねじ込まれている。ワッシャ９０８の外周部に形成された突起と外側パイプ９０１''の内周部に形成された切欠とが係合することによってワッシャ９０８の回転が規制されているため、固定リング９０７''をねじ込む際に弾性シート９０６が撚れたりせず、弾性シート９０６を均一に潰すことが可能となる。
【０１３４】
〔第４実施形態〕
次に、本発明の第４実施形態について図１５を参照して説明する。
図１５は、本実施形態の打撃力伝達部材としてのハンマーピンユニット１００を示す。ハンマーピンユニット１００は、一体のハンマーピン１０１と、外周部にねじが刻設された保持部としてのパイプ１０２と、環状体の弾性部材としてのゴムシート１０３とを有している。本例では、ハンマーピン１０１を引き戻すためのばね等は設けられていない。
【０１３５】
ハンマーピン１０１は、打撃部７４１と、大径部１０１Ａと、大径部１０１Ａから括れた小径部１０１Ｂとを有している。
パイプ１０２の内径は、ハンマーピン１０１の大径部１０１Ａよりも若干大きく、これによってパイプ１０２はハンマーピン１０１をスラスト方向（軸方向）に案内する。
【０１３６】
ゴムシート１０３の内周縁部はハンマーピン１０１の小径部１０１Ｂに嵌合している。このゴムシート１０３の孔径は、小径部１０１Ｂの軸径よりも小さく、ゴムシート１０３の締め付け力によってハンマーピン１０１とゴムシート１０３内周縁部との間の防水性が確保されている。なお、ゴムシート１０３を例えばお湯などで温めてから小径部１０１Ｂにセットすることによって、作業が容易となり、ゴムシート１０３に無理な力を掛けて傷つけるおそれがない。
また、ゴムシート１０３の外周縁部は、内胴に形成されたサライ部１０４と内胴にねじ込まれたパイプ１０２との間に挟み込まれて潰されており、これによってゴムシート１０３外周縁部の防水性が確保されている。
【０１３７】
ハンマー本体４１（図１０）によってハンマーピン１０１が叩かれると、ハンマーピン１０１はゴムシート１０３を弾性変形させながら移動する。
そして、ハンマーピン１０１の後端からハンマー本体４１が離れると、ゴムシート１０３の弾性力により、ハンマーピン１０１がハンマー本体４１と音源との間の位置に戻される。つまり、ゴムシート１０３は、ハンマーピンユニット１００の防水性を確保する部材と、ハンマーピン１０１を引き戻すための付勢部材とを兼ねている。
【０１３８】
本実施形態のハンマーピンユニット１００によれば、第３実施形態で述べた（１１）および（１２）の効果に加えて、次のような効果を奏する。
（１７）ゴムシート１０３がハンマーピン１０１の付勢部材を兼ねているので、ハンマー４０による打撃後にハンマーピン１０１を引き戻すばね等を設けることを不要にできる。これにより、部品コストを削減できる。
【０１３９】
〔第５実施形態〕
図１６は、本発明の第４実施形態の変形例として打撃力伝達部材としてのハンマーピンユニット１２０を示す。ハンマーピンユニット１２０は一体のハンマーピン１２１と、鍔を有する保持部としてのパイプ１２２と、筒状体の蛇腹形状の弾性部材としてのゴムパイプ１２３とを有している。本例ではハンマーピン１２１を引き戻すためのばね９０５（図１０）がムーブメントに固定されている。
【０１４０】
ハンマーピン１２１は、打撃部７４１と、大径部１０１Ａと、大径部１０１Ａから括れた小径部１０１Ｂと、大径部１０１Ａの一部を切り欠いたＤカット部１２１Ｃとを有している。
パイプ１２２の内径は、ハンマーピン１２１の大径部１０１Ａの軸径よりも若干大きく、これによってパイプ１２２はハンマーピン１２１をスラスト方向に案内する。
【０１４１】
蛇腹形状のゴムパイプ１２３は、孔径が小さい一端部１２３Ａと孔径が大きい他端部１２３Ｂと、一端部１２３Ａと他端部１２３Ｂとの間の蛇腹部１２３Ｃとを含んで形成された筒状体である。ゴムパイプ１２３の一端部１２３Ａおよび他端部１２３Ｂの肉厚は、蛇腹部１２３Ｃの肉厚に比べて厚くなっている。
ゴムパイプ１２３の一端部１２３Ａはハンマーピン１２１の小径部１０１Ｂに嵌合している。このゴムパイプ１２３の一端部１２３Ａの孔径は、小径部１０１Ｂより小さく、ゴムパイプ１２３の締め付け力によってハンマーピン１２１とゴムパイプ１２３の一端部１２３Ａとの間の防水性が確保されている。
また、ゴムパイプ１２３の他端部１２３Ｂは内胴に形成されたサライ部１２５と内胴に圧入されたパイプ１２２の鍔部１２２Ａとによって挟み込まれて潰されており、これによってゴムパイプ１２３の他端部１２３Ｂの外周部近傍の防水性が確保されている。
【０１４２】
ハンマー４０（図１０）によってハンマーピン１２１が叩かれると、ハンマーピン１２１はゴムパイプ１２３の蛇腹部１２３Ｃを変形させながら移動する。
ここで、蛇腹部１２３Ｃの肉厚が一端部１２３Ａおよび他端部１２３Ｂの肉厚よりも相対的に薄いため、ハンマーピン１２１の移動時にゴムパイプ１２３が変形することによる打撃エネルギ損失が小さい。
【０１４３】
本実施形態のハンマーピンユニット１２０によれば、第３実施形態で述べた（１１）と略同様の下記効果（１８）に加えて、効果（１９）をも奏する。また、第３実施形態で述べた（１１）の効果も奏する。
（１８）弾性部材が蛇腹形状のゴムパイプ１２３であり、防水性をゴムパイプ１２３の一端部１２３Ａと他端部１２３Ｂとで確保しているので、Ｏリングを用いる場合と比べてハンマーピン１２１の移動時の抵抗を格段に小さくでき、これによって弾性部材に吸収されるハンマー４０の打撃エネルギを極力小さくできる。これにより、打撃に要するエネルギを小さくできるから、香箱車４Ａが内蔵するゼンマイの持続時間を長くできる。
【０１４４】
（１９）また、ゴムパイプ１２３において、蛇腹部１２３Ｃの肉厚を相対的に薄く、一端部１２３Ａと他端部１２３Ｂの肉厚を相対的に厚くすることにより、ハンマーピン１２１が移動する際のゴムパイプ１２３の変形によるエネルギ損失低減と、ゴムパイプ１２３の一端部１２３Ａと他端部１２３Ｂとが確実に固定されることによる防水性向上との両方を、良好に実現できる。
【０１４５】
〔第６実施形態〕
次に、本発明の第６実施形態について、図１７および図１８を参照して説明する。
図１７は、本発明の第６実施形態に係る時計の概略構成を示す横断面図である。図１８は、第６実施形態のハンマーピンユニットを示す図である。なお、図１７において、ハンマー本体４１、ハンマーばね４２、およびハンマートリップ４３以外のムーブメント７Ａの構成部品は図示略とする。なお、前記実施形態と同様の構成については、同符号を付し、その説明を簡略、または省略する。
【０１４６】
第６実施形態の時計９は、第３実施形態の時計８のハンマーピンユニット９０を変形した構成を有している。
すなわち、第６実施形態の打撃力伝達部材としてのハンマーピンユニット１３０は、保持部としてのパイプ１３１と、ハンマーピン１３２と、略筒状の弾性部材としてのゴムパイプ１３３と、を備えている。また、本実施形態では、第５実施形態と同様に、ハンマーピン１３２を引き戻すためのばね９０５がムーブメントに固定されている。
【０１４７】
パイプ１３１は、例えば鉄や黄銅などの金属により形成され、外周面が内胴８１１に形成される内外を連通する配設孔部に嵌挿されている。この配設孔部は、図１８に示すように、大径配設孔部８１１Ｈと、小径配設孔部８１１Ｅとを備えている。
この配設孔部は、内側ケース８１を構成する内胴８１１のハンマー４０に対向する位置に設けられ、ハンマーピンユニット１３０が配設される。
大径配設孔部８１１Ｈおよび小径配設孔部８１１Ｅとは、同軸上に設けられ、小径配設孔部８１１Ｅにパイプ１３１が嵌挿されている。また、この小径配設孔部８１１Ｅのゴング７２側の端部には、大径配設孔部８１１Ｈとの間に段差部が形成されている。
一方、パイプ１３１の外周面には、径方向に突出するパイプフランジ部１３１Ａが形成されており、このパイプフランジ部１３１Ａが上記段差部に係止されている。これにより、パイプ１３１の内側ケース８１への潜り込みを防止している。また、パイプ１３１は、大径配設孔部８１１Ｈ内で、ゴング７２側に突出する突出先端部１３１Ｂを備え、後述する第２ハンマーピン１３２Ｂを係止している。
【０１４８】
ハンマーピン１３２は、図１８に示すように、第１ハンマーピン１３２Ａと、打撃部１３２Ｂ３を有する第２ハンマーピン１３２Ｂと、を備えている。本実施形態では、これらの第１ハンマーピン１３２Ａおよび第２ハンマーピン１３２Ｂの二体により、ハンマー４０に叩かれた際にゴング７２を打つピンが構成されている。
第１ハンマーピン１３２Ａは、パイプ１３１内で軸方向に進退自在に挿通されている。また、第１ハンマーピン１３２Ａのハンマー４０側の一端側には、他部よりも径寸法が小さい小径部１３２Ａ１（溝部）が形成されている。この小径部１３２Ａ１には、ムーブメント７Ａに固定される引き戻すためのばね９０５が係合されており、第１ハンマーピン１３２Ａが内胴８１１の内側に付勢されている。
【０１４９】
また、この小径部１３２Ａ１には、内胴８１１内のムーブメント７Ａに固定されるストッパ１４０が配設されている。このストッパ１４０は、小径部１３２Ａ１におけるハンマーピン１３２の軸方向に沿う溝幅寸法よりも小さい幅寸法を有する棒状部を備え、この棒状部の一端側がムーブメント７Ａの所定位置に回動可能に固定されている。また、ストッパ１４０の棒状部の他端部は、内胴８１１の内周面に当接されている。また、ハンマーピン１３２が駆動していない初期状態では、ストッパ１４０の棒状部は、小径部１３２Ａ１のゴング７２側の壁１３２Ａ２およびハンマー４０側の壁１３２Ａ３から所定寸法離れた位置に配置されている。
【０１５０】
そして、このストッパ１４０は、例えばケースの外部の気圧が急激に減圧し、ケース内の圧力が外側に比べて高くなった場合など、内側ケース８１の内圧が外圧よりも大きくなり、第１ハンマーピン１３２Ａが外側に押し出された際に、小径部１３２Ａ１のハンマー４０側の壁１３２Ａ３に当接して、第１ハンマーピン１３２Ａの移動を規制する。
一方、ハンマー４０によりハンマーピン１３２が駆動され、ゴング７２に当接して跳ね返った際や、内側ケース８１の内圧が外圧よりも小さくなり、第１ハンマーピン１３２Ａが内胴８１１内に潜り込んだ際などでは、第１ハンマーピン１３２Ａのピン鍔部１３２Ａ４およびパイプ１３１のパイプフランジ部１３１Ａの双方により、第１ハンマーピン１３２Ａの移動を規制する。
【０１５１】
ここで、ストッパ１４０は、時計９の製造時において、内胴８１１の内周面に当接される他端部を研削したり、内胴８１１のストッパが当接される位置を研削したりすることにより、配置位置を調整することが可能となっている。すなわち、ストッパ１４０は、ハンマーピン１３２によりゴング７２が打たれた際に、壁１３２Ａ３との間に所定の隙間寸法が形成される状態に、配置位置が決定されている。これにより、ハンマー４０によりハンマーピン１３２が駆動された際にも、ストッパ１４０がハンマーピン１３２の駆動を阻害することなく、ハンマーピン１３２によりゴング７２を打つことが可能となる。
なお、本実施形態において、第１ハンマーピン１３２Ａに小径部１３２Ａ１を設け、この小径部１３２Ａ１に引き戻すためのばね９０５およびストッパ１４０を係合させる構成としたが、例えば第１ハンマーピン１３２Ａの時計厚み方向における上下にそれぞれ所定幅寸法の溝を別々に設け、この溝にストッパ１４０および引き戻すためのばね９０５を係合させる構成などとしてもよい。
【０１５２】
また、第１ハンマーピン１３２Ａのゴング７２側の他端部には、第１ハンマーピン１３２Ａの軸から径方向に延出する略リング状のピン鍔部１３２Ａ４が形成されている。このピン鍔部１３２Ａ４は、ハンマーピン１３２によりゴング７２が打たれた後、元の初期位置に戻った際にパイプ１３１の突出先端部１３１Ｂに当接し、移動が規制される。また、内側ケース８１の内圧が外圧よりも小さくなった際に、第１ハンマーピン１３２Ａの移動を規制し、内側ケース８１内への抜け落ちを防止する。
さらに、このピン鍔部１３２Ａ４には、第２ハンマーピン１３２Ｂとの間でゴムパイプ１３３を挟み込み、ゴムパイプ１３３を固定する、略リング状のゴム固定部１３２Ａ５が突出形成されている。
そして、第１ハンマーピン１３２Ａのゴング７２側の先端面には、第２ハンマーピン１３２Ｂを圧入固定する孔部が形成されている。
【０１５３】
第２ハンマーピン１３２Ｂは、第１ハンマーピン１３２Ａの先端面に形成される孔部に圧入固定される圧入ピン１３２Ｂ１と、圧入ピン１３２Ｂ１のゴング７２側の先端部に一体形成される打撃設置板１３２Ｂ２とを備えている。そして、第２ハンマーピン１３２Ｂは、上記したように、打撃設置板１３２Ｂ２および第１ハンマーピン１３２Ａのゴム固定部１３２Ａ５の間でゴムパイプ１３３を挟み込み、圧入ピン１３２Ｂ１を第１ハンマーピン１３２Ａの先端面に設けられる孔部に圧入することで、ゴムパイプ１３３を固定するとともに第１ハンマーピン１３２Ａに固定される。また、打撃設置板１３２Ｂ２には、ゴング７２に対向する位置に打撃部１３２Ｂ３が形成され、ハンマーピン１３２がゴング７２側に移動した際には、打撃部１３２Ｂ３がゴング７２に当接する。
【０１５４】
ゴムパイプ１３３は、孔径が小さい一端部１３３Ａと孔径が大きい他端部１３３Ｂと、一端部１３３Ａと他端部１３３Ｂとの間の筒状部１３３Ｃとを含んで形成された筒状体である。
ゴムパイプ１３３の一端部１３３Ａは、上述したように、第１ハンマーピン１３２Ａのゴム固定部１３２Ａ５と第２ハンマーピン１３２Ｂの打撃設置板１３２Ｂ２とにより挟持されている。これにより、第１ハンマーピン１３２Ａおよび第２ハンマーピン１３２Ｂの間の防水性が確保されている。さらに、このゴムパイプ１３３の一端部１３３Ａの孔径は、圧入ピン１３２Ｂ１より小さく、ゴムパイプ１３３の締め付け力によっても、第２ハンマーピン１３２Ｂとゴムパイプ１３３の一端部１３３Ａとの間の防水性が確保されている。
また、ゴムパイプ１３３の他端部１３３Ｂは内胴８１１の大径配設孔部８１１Ｈに嵌入される円筒状のゴム押さえ１３５と、大径配設孔部８１１Ｈおよび小径配設孔部８１１Ｅを連結する連結面８１１Ｄとにより挟み込まれて潰されており、これによって、ゴムパイプ１３３の他端部１３３Ｂの外周部近傍の防水性が確保されている。また、このゴム押さえ１３５は、ねじ止めにより内胴８１１の外周面に固定され、抜け落ちが防止されている。
【０１５５】
本実施形態のハンマーピンユニット１３０によれば、上記第３実施形態で述べた作用効果に加えて、さらに次の効果をも奏する。
（２０）パイプフランジ部１３１Ａが小径配設孔部８１１Ｅおよび大径配設孔部８１１Ｈの間に形成される段差部に係止され、第１ハンマーピン１３２Ａのピン鍔部１３２Ａ４がパイプ１３１の突出先端部１３１Ｂに係止されている。このため、ハンマーピン１３２がゴング７２を打った後の反動でハンマー４０側に移動した際や、内側ケース８１の内圧が外圧よりも小さくなりハンマーピン１３２がハンマー４０側に移動した際でも、第１ハンマーピン１３２Ａの移動を規制して、内側ケース８１側への抜け落ちを防止することができる。
（２１）第１ハンマーピン１３２Ａのハンマー４０側に一端側に小径部１３２Ａ１が形成され、ストッパ１４０がこの小径部１３２Ａ１内に配置されている。このため、内側ケース８１の内圧が外圧よりも大きくなるなどして、ハンマーピン１３２がゴング７２側に移動した場合に、ストッパ１４０が小径部１３２Ａ１のハンマー４０側の壁１３２Ａ３に当接し、移動を規制することができる。したがって、第１ハンマーピン１３２Ａのゴング７２側への抜け落ちを防止することができる。
【０１５６】
〔第７実施形態〕
次に、本発明の第７実施形態について、図面に基づいて説明する。
図１９は、本発明に係る第７実施形態の時計の横断面図である。図２０は、第７実施形態の時計の縦断面図である。図２１は、第７実施形態の時計における隙間開閉手段が閉口状態である場合の、当該隙間開閉手段近傍の縦断面図である。図２２は、第７実施形態の時計における隙間開閉手段が開口状態である場合の、隙間開閉手段の縦断面図である。
【０１５７】
本発明に係る第７実施の形態の時計９Ａは、図１９ないし図２２に示すように、２つの音源であるゴング７２を備えている。これらのゴング７２はそれぞれ、内側ケース８１の内胴８１１の外周面に、時計の厚み方向に沿って併設され、それぞれ内胴８１１の外周面に沿う略Ｃ字状に形成されている。
これらのゴング７２は、内胴８１１に固定される単一のゴングベース７２０に固定されているものであってもよく、それぞれ異なるゴングベース７２０により内胴８１１に固定されているものであってもよい。また、これらのゴング７２の長さは、同一長さに形成されているものであってもよく、異なる長さに形成され、それぞれ異なる音色を発生するものであってもよい。さらに、図中において、断面略円形のゴング７２を例示するが、例えば断面矩形状に形成されたゴング７２であってもよく、２つのゴング７２で断面形状が異なるものを用いてもよい。
【０１５８】
そして、内胴８１１には、これら２つのゴング７２に対応して、２つのハンマーピンユニット１３０が配設されている。なお、本実施の形態では、第６実施形態で説明したハンマーピンユニット１３０を２つ設ける構成として説明するが、これに限定されず、第１ないし第５実施形態で説明したようなハンマーピンユニットを用いる構成としてもよい。
ここで、これらのハンマーピンユニット１３０は、第１ハンマーピン１３２Ａおよび第２ハンマーピン１３２Ｂの軸心の時計厚み方向の位置が、一対のゴング７２の間の略中心に対応するように配置されている。このような構成では、一対のハンマーピンユニット１３０で第２ハンマーピン１３２Ｂの角度を１８０度変更するだけで、一方のハンマーピンユニット１３０により一方のゴング７２を打ち、他方のハンマーピンユニット１３０により他方のゴングを打つ状態に、容易に各打撃部１３２Ｂ３の位置を設定することが可能となる。したがって、それぞれのゴング７２の位置に応じて異なる第２ハンマーピン１３２Ｂを製造する必要がなく、部品種類を少なくできコストを低減できる。
【０１５９】
また、第７実施形態の時計９Ａでは、内側ケース８１および外側ケースとしての外胴８３の間に反響室８４が形成されている。この反響室８４は、気密状態とされ、後述する隙間開閉手段の開閉操作によってのみ、反響室８４に外部との隙間を設けることが可能となる。
【０１６０】
具体的には、図２０に示すように、内側ケース８１は、筒状の内胴８１１と、裏側ガラス８１２および裏蓋リング８１３を有する裏蓋と、風防ガラス１３と、ガラス縁１２とを有している。ここで、第３実施形態と同様に、風防ガラス１３およびガラス縁１２の間、内胴８１１の下端縁および裏蓋リング８１３の間、裏蓋リング８１３および裏側ガラス８１２の間、内胴８１１の鍔部８１１Ａおよびガラス縁１２の間には、それぞれ、パッキンＰＫ１，ＰＫ７，ＰＫ８，ＰＫ９が設けられている。
【０１６１】
さらに、ゴング７２を覆う外側ケースとしての外胴８３は、略円筒状に形成されている。この外胴８３の上端縁は、リング状の樹脂性のパッキンＰＫ１０を介してガラス縁１２に固定され、下端縁は、リング状の樹脂性のパッキンＰＫ１１を介して裏蓋リング８１３に固定されている。なお、本実施の形態では、外胴８３とガラス縁１２との間にパッキンＰＫ１０を設けることで気密性を確保する構成としたが、例えば、外胴８３とガラス縁１２とが一体形成された構成などとしてもよく、この場合、パッキンＰＫ１０が不要となる。
【０１６２】
この外胴８３における巻真１Ｅの延長上には、巻真設置孔８３３が形成され、この巻真設置孔８３３に巻真パイプ８３４がＯリング８３４Ａを介して、時計９Ａの径方向に突出する状態に固定されている。また、りゅうず１Ｆは、この巻真パイプ８３４の突出先端を挿通可能な断面略円形の凹部１Ｆ１を備え、この凹部１Ｆ１内に巻真１Ｅが挿通固定されるりゅうず筒状部１Ｆ２を備えている。このりゅうず筒状部１Ｆ２は、外胴８３に設けられる巻真パイプ８３４および内胴８１１に設けられるパイプを通してムーブメント７Ａ内に挿通されている。ここで、内胴８１１のパイプとりゅうず筒状部１Ｆ２との間にはＯリング１Ｈが介在されている。したがって、内側ケース８１の内部は、パッキンＰＫ１，ＰＫ７，ＰＫ８，ＰＫ９およびＯリング１Ｈにより気密状態が保持されている。
また、りゅうず１Ｆの凹部１Ｆ１の内周面および巻真パイプ８３４の外周面は、Ｏリング１Ｉを介して摺接しており、りゅうず１Ｆの設置位置においても、反響室８４は気密状態を保たれている。
【０１６３】
さらに、外胴８３の所定位置には、図２１および図２２に示すような音量調整部１６０が設けられている。この音量調整部１６０は、略筒状の隙間形成部材としての案内パイプ１６１と、隙間開閉手段としての音量調整ボタン１６２とを備えている。
案内パイプ１６１は、外胴８３の外部に突出する本体部１６１Ａと、本体部１６１Ａの一端側に設けられる挿入固定部１６１Ｂとを有している。ここで、外胴８３の所定位置には、内外を連通するとともに、例えば内周面に雌ねじが形成された連通孔が形成されており、案内パイプ１６１は、挿入固定部１６１Ｂの外周面に形成される雄ねじ山をこの孔部の雌ねじに螺合させて固定されている。このとき、図２１および図２２に示すように、挿入固定部１６１Ｂおよび本体部１６１Ａとの境界角部にＯリング１６３を嵌挿した状態で、挿入固定部１６１Ｂを外胴８３の孔部に圧入することで、本体部１６１Ａと外胴８３との間にこのＯリング１６３が介在することとなり、案内パイプ１６１および外胴８３の間の気密性が確保される。
【０１６４】
また、案内パイプ１６１の本体部１６１Ａの外周面には、筒内面と筒外周面とを連通する孔部１６１Ｃが形成されている。そして、この孔部１６１Ｃから案内パイプ１６１の内周部を通り、反響室８４に至る連通路により本発明の隙間が形成されている。ここで、隙間の面積とは、反響室８４内部から外胴８３の外部を連通する連通路において、連通路の連通方向に対して略直交する連通面の面積のうち、最小面積のことを指す。本実施形態では、案内パイプ１６１の内部（後述する音量調整ボタン１６２の軸部１６２Ａの部分を除く）における連通面の面積よりも、孔部１６１Ｃの面積が小さく形成されており、この孔部１６１Ｃの面積により隙間の面積が決定される。
そして、この孔部１６１Ｃは、ゴング７２が第２ハンマーピン１３２Ｂにより打たれた際に、反響室８４による共鳴効果が阻害されることなく、共鳴により増幅された音を外部に伝えることができる面積に形成されている。
より具体的には、反響室８４に設けられる隙間により発生するヘルムホルツ共鳴の周波数と、ゴング７２にて発生する音の周波数と、が略一致するように、孔部１６１Ｃの面積が形成されている。ここで、反響室の体積をＶ、孔部１６１Ｃから案内パイプ１６１の内周部を通り、反響室８４に至る連通路の長さをＬ、孔部１６１Ｃの面積をＳ、空気中の音速をν、開口端補正値をδとすると、ヘルムホルツ共鳴による共鳴周波数は、以下の式により表される。
【０１６５】
【数１】
2010019823.tif 000003
【０１６６】
上記式による周波数と、ゴング７２の周波数とが略一致するように、孔部１６１Ｃの隙間や案内パイプ１６１の長さなどを適宜調整することで、反響室８４に対して最適な隙間を形成することが可能となり、本実施形態では、孔部１６１Ｃの面積が、１ｍｍ2〜２ｍｍ2程度である。ここで、孔部１６１Ｃの面積が大きすぎると、反響室８４内で音の反響が起こらず、ゴング７２にて発生した音がそのまま時計９Ａの外部に伝達されるため、音が小さくなる恐れがある。また、孔部１６１Ｃを形成しない場合では、反響室８４が完全に気密とされ、ゴング７２で発生した音が時計９Ａの外部に伝達されにくくなり、音量が小さくなる。これに対して、反響室８４に上記のような面積の孔部１６１Ｃが形成されることにより、反響室８４内で十分に音波を共鳴させて音圧を上げることができ、孔部１６１Ｃから共鳴された音を外部に良好に伝達することが可能となる。
【０１６７】
音量調整ボタン１６２は、軸部１６２Ａと、ヘッド部１６２Ｂとを備えている。軸部１６２Ａは、案内パイプ１６１の筒内周径寸法よりも小さい寸法に形成されている。そして、この軸部１６２Ａは、内胴８１１に形成される案内孔部８１１Ｆに挿通されて軸方向に進退自在に保持されている。ここで、軸部１６２Ａは、樹脂製のＯリング８１１Ｇを介して内胴８１１の案内孔部８１１Ｆに挿通されており、これにより内側ケース８１内の気密性が保持されている。
そして、軸部１６２Ａの内胴８１１側とは反対側となる一端部には、ヘッド部１６２Ｂが一体形成されている。ヘッド部１６２Ｂは、軸部１６２Ａの軸心と同軸となる断面略円形の閉塞面としての案内凹部１６２Ｃを備えている。ここで、この案内凹部１６２Ｃの内周面により、本発明の閉塞面が構成されている。この案内凹部１６２Ｃは、内周径寸法が、案内パイプ１６１の本体部１６１Ａの外径寸法と略同一径寸法に形成されており、音量調整ボタン１６２の進退により、案内パイプ１６１の孔部１６１Ｃを開閉する。また、案内凹部１６２Ｃの内周面における外胴８３に近接する一端側（凹部の開口縁近傍）には、Ｏリング１６２Ｄが設けられ、このＯリング１６２Ｄを介して案内凹部１６２Ｃの内周面と、案内パイプ１６１の外周面とが摺接している。これにより、図２１に示すように、音量調整ボタン１６２が内胴８１１側に移動して、案内凹部１６２Ｃの内周面で孔部１６１Ｃを覆う閉口状態では、案内パイプ１６１が確実に閉塞されて反響室８４内が気密状態に保たれる。一方、図２２に示すように、音量調整ボタン１６２が内胴８１１側から離れ、案内凹部１６２Ｃの内周面のＯリング１６２Ｄが、案内パイプ１６１の孔部１６１Ｃよりも外胴８３から離れる位置に移動すると、孔部１６１Ｃが開放される。すなわち、この孔部１６１Ｃから案内パイプ１６１の筒内部（案内パイプ１６１の筒内周面と音量調整ボタン１６２の軸部１６２Ａとの間）を通り、反響室８４の内部に連通する音波伝達路が形成される。
【０１６８】
一方、軸部１６２Ａの内胴８１１側の他端部には、図示しない抜け止めストッパが設けられている。この抜け止めストッパは、例えば軸部１６２Ａの径寸法よりも大きいフランジ状に形成されており、所定量の音量調整ボタン１６２が引き出されると、内側ケース８１に設けられる図示しない係止部に当接して音量調整ボタン１６２の移動を規制する。
【０１６９】
〔反響室の反響効果〕
次に、上述したような反響室８４を設けた場合における、音の反響効果の実験結果について図２３ないし図２７に基づいて、説明する。
【０１７０】
時計として、以下（I）〜（IV）を準備した。
（I）外胴８３の壁厚み寸法α（図２１、図２２参照）が０．６ｍｍ、内胴８１１の外周面から外胴８３の内周面までの距離寸法β（図２１、図２２参照）が２．９５ｍｍであり、反響室８４が設けられない時計。
（II）外胴８３の壁厚み寸法αが０．６ｍｍ、内胴８１１の外周面から外胴８３の内周面までの距離寸法βが２．９５ｍｍであり、反響室８４が設けられた時計９Ａ。
（III）外胴８３の壁厚み寸法αが１．２ｍｍ、内胴８１１の外周面から外胴８３の内周面までの距離寸法βが２．３ｍｍであり、反響室が設けられない時計。
（IV）外胴８３の壁厚み寸法αが１．２ｍｍ、内胴８１１の外周面から外胴８３の内周面までの距離寸法が２．３ｍｍであり、（II）の時計よりも反響室８４の広さが狭い時計９Ａ。
（I）ないし（IV）の時計において、音源としてゴング７２は同一寸法、同一振動周波数のものを使用し、その他、ハンマーピンユニット１３０の構成や、ハンマーによる打撃力を統一し、ゴング７２が打たれた際に時計から同一距離だけ離れた位置における音圧の最大値、余韻開始時（音の発生時から１０ｍｓｅｃ経過後）の音圧、音圧の減衰率をそれぞれ測定した。
図２３は、反響室８４の有無および大きさによる最大音圧値、余韻開始音圧値の違いを示す図である。図２４は、反響室８４の有無および大きさによる音圧の減衰率を示す図である。なお、この図２３および図２４において、反響室無しの状態とは、外胴８３に所定面積以上の開口を形成するなどして、反響室の気密性を完全になくした状態のことを示し、反響室有りの状態とは、反響室８４に１ｍｍ2〜２ｍｍ2程度の隙間を設けるのみで、反響室８４の内部をほぼ気密にした常態のことを示す。また、ケース壁厚とは、外胴８３の壁厚み寸法であり、内胴ケース壁距離とは、内胴８１１の外周面から外胴８３の内周面までの距離であり、ケース壁厚が小さく、内胴ケース壁距離が大きいものほど反響室８４の容積が大きいことを示す。また、図２３において、各棒グラフのうち、右側に音圧最大値、左側に余韻開始時の音圧を示す。
【０１７１】
図２３および図２４において、（I）および（II）を比較、（III）および（IV）を比較すると、反響室８４を設ける場合と、反響室８４を設けない場合とでは、反響室８４を設けた方が音圧の最大値が向上することが確認できる。
また、反響室８４を設ける場合の方が、音圧の減衰率が小さく、余韻が長時間続くことが確認できる。すなわち、反響室８４を設けない場合、ゴング７２から発生した音が共鳴されず、そのまま時計外部に逃げるため、音圧が小さく、音圧の減衰率も大きくなる。これに対して、本実施の形態では、反響室８４を設けることで、ゴング７２にて派生した音波が共鳴し合い、音圧を大きくすることが可能となる。また、発生した音が外部に逃げにくく、余韻も長時間持続させることが可能となる。
【０１７２】
また、反響室８４の容積、すなわち内胴８１１および外胴８３の距離を変化させた場合に、音圧の最大値に大きな変化はないが、反響室８４の容積が大きい場合の方が、容積が小さい場合に比べて余韻開始時の音圧を向上させることができる。一方、反響室８４の容積が小さい場合では、容積が大きい場合に比べて、音圧の減衰率が小さくなることが確認できる。すなわち、余韻開始時の音が大きい時計９Ａを製造する場合には、反響室８４の容積を大きく設計し、余韻時間を長く持続させる時計９Ａを製造する場合には、反響室８４の容積を小さく設計することで、目的に応じた時計９Ａを容易に製造することが可能となる。
【０１７３】
また、反響室８４に設けられる孔部１６１Ｃの開口面積がそれぞれ、０（完全気密状態）、１ｍｍ2〜２ｍｍ2、５ｍｍ2〜６ｍｍ2、８ｍｍ2〜１０ｍｍ2、１５ｍｍ2〜１８ｍｍ2、３０ｍｍ2〜３４ｍｍ2である時計を用意し、各時計から所定距離寸法離れた位置での音圧最大値、余韻開始時音圧、音圧の減衰率を測定した。
図２５は、孔部１６１Ｃの開口面積と、ゴング７２から発生される音の音圧との関係を示す図である。この図２５において、線Ａは、音圧最大値の変化を示し、線Ｂは、余韻開始時の音圧の変化を示す。図２６は、孔部１６１Ｃの開口面積と、音圧の減衰率との関係を示す図である。
【０１７４】
図２５に示すように、反響室８４に形成される孔部１６１Ｃとしては、１ｍｍ2〜２ｍｍ2程度であるときが、音圧最大値および余韻開始時の音圧が最大となり、音圧減衰率も最小となることが分かる。孔部１６１Ｃが全く設けられない気密状態では、反響室８４内に音が閉じ込められるため、時計外部への音の出力が抑えられ、音圧が低下する。一方、図２６に示すように、孔部１６１Ｃの面積が大きくなると、音圧の減衰率が大きくなる。すなわち、孔部１６１Ｃが大きいと、反響室８４内で音が反響することなく、孔部１６１Ｃから音が逃げてしまい、余韻の持続性も低下する。これに対して、孔部１６１Ｃの寸法を本実施形態のように、１ｍｍ2〜２ｍｍ2程度に設定することで、反響室８４内にて良好に音を反響させることが可能となり、かつ孔部１６１Ｃから時計外部に十分に音を出力することも可能となる。
【０１７５】
さらに、音源として、第１実施形態で説明したようなおりん２０を用いる場合、第２ないし第６実施形態の時計のような単一のゴング７２を用いる場合、本実施形態のような２つのゴング７２を用いる場合に対して、それぞれ音圧最大値からの音圧の変化状態を測定した。図２７は、所定ばね力でハンマーを駆動させておりん、ゴングを打った際の音圧の変化を示す図である。図２７において、線Ｃは、おりん２０を所定のばね力のハンマー４０を用いて鳴らした際の音圧変化曲線である。線Ｄは、ゴング７２を、線Ｃのおりん２０を鳴らした際と同様のばね力のハンマー４０を用いて鳴らした場合の音圧変化曲線である。線Ｅは、線Ｄで用いたゴング７２を、２倍のばね力のハンマー４０を用いて鳴らした際の音圧変化曲線である。
一般に、おりん２０は、ゴング７２に比べて大きな体積を持つため、スペースの面で不利となるが、同様のばね力のハンマー４０を用いる場合では、ゴング７２よりも大きな音を出すことが可能となる。しかしながら、上述のような反響室８４を用いることで、図２７の線Ｃおよび線Ｄから分かるように、最大音圧値で同程度の音を発生させることが可能となり、さらにハンマー４０のばね力を２倍にすることでおりん２０以上の余韻を実現することも可能となる。
なお、おりん２０を用いる場合では、反響室８４として必要となる空間は非常に大きくなる。したがって、本実施形態にような腕時計におりん２０を内蔵する場合では、反響室８４を設けない構成にしたほうが、良好な音圧の音を発生させることができ、この場合、外胴に開口部を設けるなどして、おりん２０の音が外部に伝達されやすい構成とすることが好ましい。
【０１７６】
上記したような第７実施形態の時計では、上述した第１ないし第６実施形態の効果に加えて、次の効果を奏することができる。
すなわち、第７実施形態の時計９Ａでは、２つのゴング７２が、時計９Ａの厚み方向に沿って併設されている。このため、単一のゴング７２を配置する場合に比べて、音圧最大値を上げることができ、より良好な音を鳴らすことができる。
また、２つのゴング７２に対応して、２つのハンマーピンユニット１３０を設けた。このため、２つのゴング７２を鳴らすための打撃力がそれぞれ対応するハンマーピンユニット１３０から伝達されるため、例えば単一のハンマーピンユニット１３０により２つのゴング７２を同時に打つ場合に比べて打撃力が分散されず、大きな打撃力でゴング７２を打つことができる。したがって、それぞれのゴング７２から音圧の大きい良好な音を発生させることができる。
【０１７７】
また、内胴８１１およびゴング７２を覆う外胴８３が設けられ、内胴８１１および外胴８３で囲われる空間に略気密となる反響室８４が形成されている。
このため、ゴング７２で発生した音は、反響室８４内で反響し共鳴し合うため、共鳴音により音圧を上げることができる。したがって、ゴング７２で発生した音が反響されずにそのまま外部に出力される場合に比べて、より大きい音圧の良好な音を鳴らすことができる。また反響室８４内で音が反響しあうため、音が一度に逃げず、余韻時間を長時間持続させることができる。
【０１７８】
このとき、反響室８４には、１ｍｍ2〜２ｍｍ2程度の僅かな孔部１６１Ｃを備えた隙間が形成されている。このため、この孔部１６１Ｃから音を外に出力することができる。すなわち、反響室８４を完全に気密状態にした場合、音が反響室８４内に篭り、外部への出力が抑えられるため、時計外部における音圧値が低下する。これに対して、孔部１６１Ｃを設けることで、反響室８４内で共鳴効果を受けた音が孔部１６１Ｃから良好に出力されるため、時計外部での音圧をより大きくすることができ、より良好な音を鳴らすことができる。
【０１７９】
そして、時計９Ａの外胴８３には、音量調整部１６０が設けられ、上述のような孔部１６１Ｃの開閉状態を切り替えることが可能な構成が採られている。このため、例えば雨天時などにおける時計内部への水滴の侵入や、塵などの侵入を防止したい場合には、この音量調整部１６０を操作して閉口状態にすることで、時計の防水性および防塵性を向上させることができ、音量を小さくすることができる。また、時計９Ａから音圧値が大きく、余韻が長い良好な音を鳴らしたい場合には、音量調整部１６０を操作して孔部１６１Ｃを開口状態にすることで、上述したように孔部１６１Ｃから反響室８４で共鳴効果を受けた音を出力することができ、良好な音を鳴らすことができる。したがって、利用者の好みや使用環境により、防水防塵性を重視するとともに、音量が小さい状態と、音量が大きく余韻持続時間も長い音を鳴らす状態とを切り替えて使うことができる。
【０１８０】
また、音量調整部１６０は、外胴８３の外部と反響室８４内部とを連通するとともに、外周面に孔部１６１Ｃが形成される筒状の案内パイプ１６１と、案内パイプ１６１の内周径寸法よりも小さい径寸法の軸部１６２Ａを有し、案内パイプ１６１内に挿通され、軸方向に進退可能な音量調整ボタン１６２とを備えている。そして、この音量調整ボタン１６２のヘッド部１６２Ｂには、案内パイプ１６１の筒外周面を覆う案内凹部１６２Ｃが形成され、音量調整ボタン１６２の進退によりこの案内凹部１６２Ｃの内周面により孔部１６１Ｃを開閉する。このため、案内パイプ１６１および音量調整ボタン１６２の２部材のみで孔部１６１Ｃを開閉する構成が得られ、簡単な構成で容易に孔部１６１Ｃの開閉の切り替えを実施することができる。
【０１８１】
〔本発明の変形例〕
なお、本発明は、以上説明した各実施形態に限定されず、本発明の目的を達せられる範囲で種々の改良、変形が可能である。
図２８は、本発明の変形例に係る時計の縦断面図である。本例の時計は、ムーブメント７Ａと、内胴７１１と、裏側ガラス７１２と、ガラス縁１２と、風防ガラス１３と、ゴング７２と、内胴７１１とガラス縁１２とを固定する固定部材１５とを備えている。ここで、内胴７１１、裏側ガラス７１２、ガラス縁１２、および風防ガラス１３によって、ムーブメント７Ａを気密状態に収容する内側ケース７１が構成されている。本例では、内側ケースとの間にゴング７２を収容する外側ケースは設けられておらず、ゴング７２は外気に開放されている。
【０１８２】
固定部材１５は、ガラス縁１２の裏面に沿って環状に形成され、図示しないバンドを取り付けるためのばね棒挿通孔１５１Ａが形成されたバンド取付部１５１と、固定部材１５の内側に突出形成され内胴７１１の鍔部７１１Ａを載置する載置部１５２とを有している。
前記各実施形態では、外側ケースに開口部３１１を設けることによって音源の振動による空気振動を可能としていたのに対して、本例は、外側ケース自体を設けない構成としたものである。本例によっても前記各実施形態と同様の効果が得られる。
【０１８３】
外側ケースの開口部の態様は前記各実施形態には限定されず、例えば図２９〜図３２のような構成でもよい。なお、図２９〜図３２において１４１は、６時方向および１２時方向に設けられるバンド取付部としてのカン１４１であり、１Ｆは３時方向に設けられるりゅうず１Ｆである。
図２９、図３０に示した例では、外側ケース７３を構成する外胴７３１にスリット状の複数の開口部１４２が形成されている。各開口部１４２は、ゴング７２に対向する位置およびその近傍に形成されている。
【０１８４】
図３１、図３２に示した例では、外側ケース７３を構成する外胴７３１に装飾的にデザインされた形状の複数の開口部１４３が形成されている。各開口部１４３は、ゴング７２に対向する位置およびその近傍に形成されている。
【０１８５】
ここで、前述したように内側ケースの内部が気密状態となっているため、音源が配置される外側ケースの内部の防水性を考慮する必要はない。このため、図２９〜図３２や、前記各実施形態などに示したように、ゴング７２が配置される位置の近傍となる外胴７３１の側面中央部に開口部を形成できる。さらに、形成する開口部のサイズ（１つの開口部の大きさや、複数の開口部の大きさの合計）を大きくできる。これらのことから、ハンマーによる音源の打撃音を十分な音量で外側ケースの外部に伝達することができる。
また、このように開口部を外胴の目立つ位置に形成可能なため、開口部を利用して外観意匠性をも向上させることができる。
なお、開口部の位置は任意であり、例えば時計装着時に時計バンドの陰になる位置に開口部が形成されていてもよい。また、開口部が形成される位置は外胴の側面中央部に限らず、外胴と裏蓋との接合部や裏蓋に開口部が形成されていてもよい。
なお、図２９ないし図３２において、ゴング７２が設けられる時計を例示したが、音源としておりん２０が設けられる構成としてもよい。上述したように、音源としてゴング７２を設ける場合では、ゴング７２の体積や形状などにより、反響室８４を設ける構成の方が良好な音を発生させることができる。これに対して、比較的体積が大きいおりん２０を設ける場合では、反響室８４による共鳴効果を得るためには、大きな体積の反響室８４が必要となり、腕時計として利用する場合には、不適切となる。これに対して、上記のような開口部を設ける構成とすることで、おりん２０などの比較的大きな体積を有する音源に対しても、発生した音を良好に時計外部に伝達することができる構成が得られる。
【０１８６】
そして、第７実施形態において、外胴８３に音量調整部１６０を設け、利用者の操作により孔部１６１Ｃを開閉可能な構成を示したが、これに限定されない。例えば、外胴８３と裏蓋リング８１３との間のパッキンＰＫ１１を取り外し、これら外胴８３および裏蓋リング８１３との間に、例えば１ｍｍ2〜２ｍｍ2程度の隙間を設ける構成としてもよい。
【０１８７】
また、音量調整部１６０として、案内パイプ１６１および音量調整ボタン１６２を備える構成を例示したが、これに限定されず、例えば、外胴８３の外周面に反響室８４と時計９Ａの外部とを連通する隙間を形成し、この隙間を開閉するシャッタを外胴８３の外周面に沿ってスライド移動可能に設ける構成などとしてもよい。
【０１８８】
また、ハンマーピンユニット１３０において、ムーブメント７Ａ内に固定されるストッパ１４０によりハンマーピン１３２の移動を規制する例を示したが、例えば、ストッパ１４０が内胴８１１に固定される構成などとしてもよい。
【０１８９】
なお、時計１の指針を駆動するムーブメント（時計機構）は、機械式時計、アナログクオーツ時計、電子制御式機械時計のいずれでもよい。但し、機械式時計では、テンプ・ヒゲゼンマイ・アンクル・ガンギからなる調速機による打刻音が発生し、アナログクオーツ時計では磁歪音・歯打ち音が発生するため、このような雑音が発生しにくい電子制御式機械時計は本発明に好適である。
【０１９０】
なお、前記各実施形態では、指針を駆動する香箱車とは別に、ソヌリ機構やリピータ機構を駆動する香箱車が設けられていたが、指針駆動用の香箱車の余力トルクをソヌリやリピータ機構に分配してもよい。つまり、１つの香箱車が指針駆動とソヌリやリピータ機構の駆動とに共用されていてもよい。
さらに、前記各実施形態では、ソヌリやリピータ機構の駆動源は機械エネルギ蓄積手段である香箱車であり、打撃制御装置によってハンマーを駆動していたが、ハンマー駆動装置の構成は、ハンマーを打撃可能である限り、種々の構成にできる。なお、香箱車の回転速度を調整する調速装置は設けられていなくても良い。
【０１９１】
またさらに、前記各実施形態では機械エネルギ蓄積手段である香箱車がハンマー駆動装置の駆動源であったが、これに限らず、電池を駆動源とし、ハンマー駆動装置としての電動機（モータ）によってハンマーが駆動される構成としてもよい。
【０１９２】
前述した打撃力伝達部材としてのハンマーピンユニットまたはハンマーピンは、前述したいずれの実施形態および変形例にも適用可能である。
ここで、打撃力伝達部材は、ハンマーと音源との間で往復変位可能に設けられてハンマーの打撃力を音源に伝えるものであればよく、必ずしもピン形状でなくてもよいが、ピンを使用することにより、打撃力伝達部材を簡略に構成できる。
【０１９３】
なお、第２実施形態などでは、内胴および外胴の間にゴングが設けられていたが、内側ケースの底部と裏蓋との間にゴングを設けることも検討できる。
【０１９４】
また、第１実施形態のおりん２０は銅合金製であったが、おりんの材質は特に限定されず、ステンレス鋼製等であってもよい。
【０１９５】
また、上記実施の形態において、音源がケース外に設けられる構成を示したが、これに限定されず、音源がケースの内部に設けられる構成などとしてもよい。この場合でも、ハンマーと音源との間に打撃力伝達部材が設けられ、この打撃力伝達部材を介してハンマーの打撃力が伝達される構成とすることで、上記発明と同様の効果が得られる。
【０１９６】
さらに、保持部として、パイプ５１，１０２，１２２，１３１を例示したが、例えば、内胴１１にハンマーピン５２，７４，１０１，１２１，１３２を直接摺動可能の保持する孔部が設けられ、この孔部が保持部の機能を有する構成などとしてもよい。
【０１９７】
さらには、本発明は、前述したソヌリ機構やリピータ機構を具備する時計に限らず、アラームやタイマー、カリオンなどの機械的な打撃によって音を出す機構を具備する各種の時計および機器に適用できる。
【０１９８】
以上、本発明を実施するための最良の構成について具体的に説明したが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形および改良を加えることができるものである。
上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【０１９９】
【図１】本発明の第１実施形態に係る時計の縦断面図。
【図２】前記時計が搭載するソヌリ機構の平面図。
【図３】前記ソヌリ機構に含まれるセンターホイールの平面図。
【図４】前記実施形態におけるハンマーピンユニットを示す図。
【図５】前記時計の横断面図。
【図６】本発明の第２実施形態に係る時計の縦断面図。
【図７】前記時計の横断面図。
【図８】前記実施形態におけるハンマーピンを示す図。
【図９】本発明の第３実施形態に係る時計の縦断面図。
【図１０】前記時計の横断面図。
【図１１】前記実施形態におけるハンマーピンユニットを示す図。
【図１２】第３実施形態の第１変形例を示す図。
【図１３】第３実施形態の第２変形例に係るハンマーピンユニットを示す図。
【図１４】第３実施形態の第３変形例に係るハンマーピンユニットを示す図。
【図１５】本発明の第４実施形態に係るハンマーピンユニットを示す図。
【図１６】本発明の第５実施形態に係るハンマーピンユニットを示す図。
【図１７】本発明の第６実施形態に係る時計の横断面図。
【図１８】前記第６実施形態におけるハンマーピンユニットを示す図。
【図１９】本発明の第７実施形態に係る時計の横断面図。
【図２０】前記第７実施形態の時計の縦断面図。
【図２１】前記第７実施形態に係る隙間開閉手段を示す図。
【図２２】前記第７実施形態に係る隙間開閉手段を示す図。
【図２３】反響室の有無および大きさによる最大音圧値、余韻開始音圧値の違いを示す図。
【図２４】反響室の有無および大きさによる音圧の減衰率を示す図。
【図２５】隙間の開口面積と、ゴングから発生される音の音圧との関係を示す図。
【図２６】隙間の開口面積と、音圧の減衰率との関係を示す図。
【図２７】所定ばね力でハンマーを駆動させておりん、ゴングを打った際の音圧の変化を示す図。
【図２８】本発明の変形例に係る時計の縦断面図。
【図２９】本発明の変形例に係る時計の側面図（スリット）。
【図３０】本発明の変形例に係る時計の側面図（スリット）。
【図３１】本発明の変形例に係る時計の側面図（飾り孔）。
【図３２】本発明の変形例に係る時計の側面図（飾り孔）。
【符号の説明】
【０２００】
１，７，８，９，９Ａ…時計、１Ａ，７Ａ…本体としてのムーブメント、４…ソヌリ機構、１０，７１，８１…内側ケース、１１，７１１…内胴、１２…ガラス縁、１３…風防ガラス、２０…音源としてのおりん、２１…側壁部、２２…底部、２５…固定部材、３０，７３…外側ケース、３１，７３１…外胴、３２…裏蓋、４０…ハンマー、５０，９０，９０'，９０''，１００，１２０…打撃力伝達部材としてのハンマーピンユニット、５１，１０２，１２２，１３１…保持部としてのパイプ、５２，１０１，１２１，１３２…ハンマーピン、５３…閉塞部材としてのＯリング、５４…付勢部材としてのコイルばね、６０…ハンマー駆動装置としての打撃制御装置、７２…音源としてのゴング、７４…打撃力伝達部材としてのハンマーピン、７５…付勢部材としての板ばね、８３…外側ケースとしての外胴、８４…反響室、１０３…弾性部材としてのゴムシート、１１１…胴部、１１２…蓋部、１２３，１３３…弾性部材としてのゴムパイプ、１３０…打撃力伝達部材としてのハンマーピンユニット、１３２Ａ１…小径部、１４０…ストッパ、１４２，１４３，３１１…開口部、１６１…隙間形成部材としての案内パイプ、１６１Ｃ…隙間を構成する孔部、１６２…隙間開閉手段としての音量調整ボタン、１６２Ｃ…閉塞面としての案内凹部、２５１…固定部材本体としての固定パイプ、２５４…弾性部材としての押さえばね、７１１Ｂ…保持部としての貫通孔、７１２，８１２…裏側ガラス、７３２，８１３…裏蓋リング、８１１…磁性体としての内胴、９０１，９０１'，９０１''…外側パイプ、９０２…ガイドパイプ、９０３…第１ハンマーピン、９０４…第２ハンマーピン、９０５…付勢部材としてのばね、９０６…弾性部材としての弾性シート。
【図１】
2010019823.tif 000004
【図２】
2010019823.tif 000005
【図３】
2010019823.tif 000006
【図４】
2010019823.tif 000007
【図５】
2010019823.tif 000008
【図６】
2010019823.tif 000009
【図７】
2010019823.tif 000010
【図８】
2010019823.tif 000011
【図９】
2010019823.tif 000012
【図１０】
2010019823.tif 000013
【図１１】
2010019823.tif 000014
【図１２】
2010019823.tif 000015
【図１３】
2010019823.tif 000016
【図１４】
2010019823.tif 000017
【図１５】
2010019823.tif 000018
【図１６】
2010019823.tif 000019
【図１７】
2010019823.tif 000020
【図１８】
2010019823.tif 000021
【図１９】
2010019823.tif 000022
【図２０】
2010019823.tif 000023
【図２１】
2010019823.tif 000024
【図２２】
2010019823.tif 000025
【図２３】
2010019823.tif 000026
【図２４】
2010019823.tif 000027
【図２５】
2010019823.tif 000028
【図２６】
2010019823.tif 000029
【図２７】
2010019823.tif 000030
【図２８】
2010019823.tif 000031
【図２９】
2010019823.tif 000032
【図３０】
2010019823.tif 000033
【図３１】
2010019823.tif 000034
【図３２】
2010019823.tif 000035